(57)【特許請求の範囲】
【請求項１】
基地局装置と、前記基地局装置と無線通信可能な移動端末装置とを備える移動体通信システムであって、
前記移動端末装置の位置を追跡する範囲として予め定められるトラッキングエリア内に設けられる複数の前記基地局装置と、複数の前記基地局装置を制御するネットワーク制御装置とを備え、
前記移動端末装置は、電源が投入された状態で通信していない待ち受け状態であるとき、前記基地局装置から送信される前記移動端末装置を呼び出すための呼び出し信号を間欠的に受信し、
前記ネットワーク制御装置は、前記トラッキングエリア内に前記移動端末装置が存在するか否かを判断し、その判断結果を各前記基地局装置に通知し、
各前記基地局装置は、
前記移動端末装置が前記待ち受け状態であるとき、前記ネットワーク制御装置から前記トラッキングエリア内に前記移動端末装置が存在することが通知され、かつ前記移動端末装置と通信していないと判断すると、
前記呼び出し信号を送信するべき期間として予め周期的に定める呼び出し期間に、前記呼び出し信号、および前記基地局装置から送信される信号の前記移動端末装置における受信レベルを求めるための参照信号のうち、少なくとも前記参照信号を送信する間欠送信動作を行うとともに、
前記呼び出し信号が送信される無線フレームとは異なる別の無線フレームにおいて、前記移動端末装置と同期するための同期信号および報知チャネルを送信することを特徴とする移動体通信システム。
【請求項２】
前記基地局装置は、予め登録される前記移動端末装置と無線通信可能に構成され、前記移動端末装置が前記基地局装置に登録されるとき、前記移動端末装置との間のランダムアクセスに必要なパラメータを前記移動端末装置に通知することを特徴とする請求項１に記載の移動体通信システム。
【請求項３】
前記基地局装置は、予め登録される前記移動端末装置と無線通信可能に構成され、ランダムアクセスに必要なパラメータを含むシステム情報ブロックを載せた物理下り共有チャネルの送信を停止しているときに、特定の上り送信を受信すると、前記物理共有チャネルの送信を一定時間再開することを特徴とする請求項１または２に記載の移動体通信システム。
【発明の詳細な説明】
【技術分野】
【０００１】
本発明は、複数の移動端末と基地局との間で無線通信を実施する移動体通信システムに関する。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（High Speed-Downlink Shared Channel：ＨＳ−ＤＳＣＨ）を追加することにより、下りリンクを用いたデータ送信の更なる高速化を実現するＨＳＤＰＡ（High Speed Downlink Packet Access）のサービスが開始されている。さらに、上り方向のデータ送信をより高速化するためＨＳＵＰＡ（High Speed Uplink Packet Access）方式についてもサービスが開始されている。Ｗ−ＣＤＭＡは、移動体通信システムの規格化団体である３ＧＰＰ（3rd Generation Partnership Project）により定められた通信方式であり、リリース８版の規格書がとりまとめられている。【０００３】
また、３ＧＰＰにおいて、Ｗ−ＣＤＭＡとは別の通信方式として、無線区間についてはロングタームエボリューション（Long Term Evolution：ＬＴＥ）、コアネットワーク（単にネットワークとも称する）を含めたシステム全体構成については、システムアーキテクチャエボリューション（System Architecture Evolution：ＳＡＥ）と称される新たな通信方式が検討されている。【０００４】
ＬＴＥでは、アクセス方式、無線のチャネル構成やプロトコルが、現在のＷ−ＣＤＭＡ（ＨＳＤＰＡ／ＨＳＵＰＡ）とは全く異なるものになる。例えば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４ＭＨｚ，３ＭＨｚ，５ＭＨｚ，１０ＭＨｚ，１５ＭＨｚ，２０ＭＨｚの中で基地局毎に選択可能となっている。また、ＬＴＥでは、Ｗ−ＣＤＭＡのように回線交換を含まず、パケット通信方式のみになる。【０００５】
ＬＴＥは、Ｗ−ＣＤＭＡのコアネットワークであるGeneral Packet Radio Service（ＧＰＲＳ）とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（User Equipment：ＵＥ）と通信を行う基地局（Base station）はｅＮＢ（E-UTRAN NodeB）と称され、複数の基地局と制御データやユーザデータのやり取りを行う基地局制御装置（Radio Network Controller）は、ＥＰＣ（Evolved Packet Core）またはａＧＷ（Access Gateway）と称される。このＬＴＥの通信システムでは、ユニキャスト（Unicast）サービスとＥ-ＭＢＭＳサービス（Evolved Multimedia Broadcast Multicast Service）とが提供される。Ｅ−ＭＢＭＳサービスとは、放送型マルチメディアサービスであり、単にＭＢＭＳと称される場合もある。複数の移動端末に対してニュースや天気予報、モバイル放送などの大容量放送コンテンツが送信される。これを１対多（Point to Multipoint）サービスともいう。【０００６】
３ＧＰＰでの、ＬＴＥシステムにおける全体的なアーキテクチャ（Architecture）に関する現在の決定事項が、非特許文献１（４．６．１章）に記載されている。全体的なアーキテクチャについて図１を用いて説明する。図１は、ＬＴＥ方式の通信システムの構成を示す説明図である。図１において、移動端末１０１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局１０２で終端するならば、Ｅ−ＵＴＲＡＮ（Evolved Universal Terrestrial Radio Access）は１つあるいは複数の基地局１０２によって構成される。【０００７】
基地局１０２は、ＭＭＥ（Mobility Management Entity）１０３から通知されるページング信号（Paging Signal、ページングメッセージ（paging messages）とも称される）のスケジューリング（Scheduling）および送信を行う。基地局１０２は、Ｘ２インタフェースにより、互いに接続される。また基地局１０２は、Ｓ１インタフェースによりＥＰＣ（Evolved Packet Core）に接続される。より明確には、基地局１０２は、Ｓ１＿ＭＭＥインタフェースによりＭＭＥ（Mobility Management Entity）１０３に接続され、Ｓ１＿ＵインタフェースによりＳ−ＧＷ（Serving Gateway）１０４に接続される。【０００８】
ＭＭＥ１０３は、複数あるいは単数の基地局１０２へのページング信号の分配を行う。また、ＭＭＥ１０３は待ち受け状態（Idle State）のモビリティ制御（Mobility control）を行う。ＭＭＥ１０３は、移動端末が待ち受け状態の際、および、アクティブ状態（Active State）の際に、トラッキングエリア（Tracking Area）リストの管理を行う。【０００９】
Ｓ−ＧＷ１０４は、ひとつまたは複数の基地局１０２とユーザデータの送受信を行う。Ｓ−ＧＷ１０４は、基地局間のハンドオーバの際、ローカルな移動性のアンカーポイント（Mobility Anchor Point）となる。ＥＰＣには、さらにＰ−ＧＷ（PDN Gateway）が存在し、ユーザ毎のパケットフィルタリングやＵＥ−ＩＤアドレスの割当などを行う。【００１０】
移動端末１０１と基地局１０２との間の制御プロトコルＲＲＣは、報知（Broadcast）、ページング（paging）、ＲＲＣ接続マネージメント（RRC connection management）などを行う。ＲＲＣにおける基地局と移動端末の状態として、ＲＲＣ＿ＩＤＬＥと、ＲＲＣ＿ＣＯＮＮＥＣＴＥＤとがある。ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティ等が行われる。ＲＲＣ＿ＣＯＮＮＥＣＴＥＤでは、移動端末はＲＲＣ接続（connection）を有し、ネットワークとのデータの送受信を行うことができ、また、ハンドオーバ（Handover：ＨＯ）、隣接セル（Neighbour cell）のメジャメント等が行われる。ＲＲＣ＿ＩＤＬＥを単にＩＤＬＥ、待ち受け状態とも称する。ＲＲＣ＿ＣＯＮＮＥＣＴＥＤを単にＣＯＮＮＥＣＴＥＤ、接続状態とも称する。「待ち受け状態」とは、電源は投入されているが、基地局と接続していない状態、換言すれば、電源が投入された状態で通信していない状態をいう。「接続状態」とは、基地局と接続している状態、換言すれば、通信している状態をいい、前述の「アクティブ状態」に相当する。【００１１】
非特許文献１（５章）に記載される３ＧＰＰでの、ＬＴＥシステムにおけるフレーム構成に関する現在の決定事項について、図２を用いて説明する。図２は、ＬＴＥ方式の通信システムで使用される無線フレームの構成を示す説明図である。図２において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目と６番目のサブフレームに下り同期信号（Downlink Synchronization Signal：ＳＳ）が含まれる。同期信号には、第一同期信号（Primary Synchronization Signal：Ｐ−ＳＳ）と、第二同期信号（Secondary Synchronization Signal：Ｓ−ＳＳ）とがある。サブフレーム単位で、ＭＢＳＦＮ（Multimedia Broadcast multicast service Single Frequency Network）用のチャネルと、ＭＢＳＦＮ以外用のチャネルとの多重が行われる。以降、ＭＢＳＦＮ送信用のサブフレームをＭＢＳＦＮサブフレーム（MBSFN subframe）と称する。【００１２】
非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。【００１３】
３ＧＰＰでの、ＬＴＥシステムにおけるチャネル構成に関する現在の決定事項が、非特許文献１（５章）に記載されている。ＣＳＧセル（Closed Subscriber Group cell）においてもｎｏｎ−ＣＳＧセルと同じチャネル構成が用いられると想定されている。物理チャネル（Physical channel）について、図４を用いて説明する。図４は、ＬＴＥ方式の通信システムで使用される物理チャネルを説明する説明図である。図４において、物理報知チャネル（Physical Broadcast channel：ＰＢＣＨ）４０１は、基地局１０２から移動端末１０１への下り送信用のチャネルである。ＢＣＨトランスポートブロック（transport block）は、４０ｍｓ間隔中の４個のサブフレームにマッピングされる。４０ｍｓタイミングの明白なシグナリングはない。物理制御チャネルフォーマットインジケータチャネル（Physical Control Format Indicator Channel：ＰＣＦＩＣＨ）４０２は、基地局１０２から移動端末１０１への下り送信用のチャネルである。ＰＣＦＩＣＨは、ＰＤＣＣＨｓのために用いるＯＦＤＭシンボルの数について基地局１０２から移動端末１０１へ通知する。ＰＣＦＩＣＨは、サブフレーム毎に送信される。【００１４】
物理下り制御チャネル（Physical Downlink Control Channel：ＰＤＣＣＨ）４０３は、基地局１０２から移動端末１０１への下り送信用のチャネルである。ＰＤＣＣＨは、リソース割り当て（allocation）、ＤＬ−ＳＣＨ（後述の図５に示されるトランスポートチャネルの１つである下り共有チャネル）に関するＨＡＲＱ（Hybrid Automatic Repeat reQuest）情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。【００１５】
物理下り共有チャネル（Physical Downlink Shared Channel：ＰＤＳＣＨ）４０４は、基地局１０２から移動端末１０１への下り送信用のチャネルである。ＰＤＳＣＨには、トランスポートチャネルであるＤＬ-ＳＣＨ（下り共有チャネル）やトランスポートチャネルであるＰＣＨがマッピングされている。物理マルチキャストチャネル（Physical Multicast Channel：ＰＭＣＨ）４０５は、基地局１０２から移動端末１０１への下り送信用のチャネルである。ＰＭＣＨには、トランスポートチャネルであるマルチキャストチャネル（Multicast Channel：ＭＣＨ）がマッピングされている。【００１６】
物理上り制御チャネル（Physical Uplink Control Channel：ＰＵＣＣＨ）４０６は、移動端末１０１から基地局１０２への上り送信用のチャネルである。ＰＵＣＣＨは、下り送信に対する応答信号（response）であるＡｃｋ／Ｎａｃｋを運ぶ。ＰＵＣＣＨは、ＣＱＩ（Channel Quality Indicator）レポートを運ぶ。ＣＱＩとは受信したデータの品質、もしくは通信路品質を示す品質情報である。またＰＵＣＣＨは、スケジューリングリクエスト（Scheduling Request：ＳＲ）を運ぶ。物理上り共有チャネル（Physical Uplink Shared Channel：ＰＵＳＣＨ）４０７は、移動端末１０１から基地局１０２への上り送信用のチャネルである。ＰＵＳＣＨには、ＵＬ−ＳＣＨ（図５に示されるトランスポートチャネルの１つである上り共有チャネル）がマッピングされている。【００１７】
物理ＨＡＲＱインジケータチャネル（Physical Hybrid ARQ Indicator Channel：ＰＨＩＣＨ）４０８は、基地局１０２から移動端末１０１への下り送信用のチャネルである。ＰＨＩＣＨは、上り送信に対する応答であるＡｃｋ／Ｎａｃｋを運ぶ。物理ランダムアクセスチャネル（Physical Random Access Channel：ＰＲＡＣＨ）４０９は、移動端末１０１から基地局１０２への上り送信用のチャネルである。ＰＲＡＣＨは、ランダムアクセスプリアンブル（random access preamble）を運ぶ。【００１８】
下りリファレンスシグナル（Reference signal）は、移動体通信システムとして既知のシンボルである。下りリファレンスシグナルは、毎スロットの最初、３番目、最後のＯＦＤＭシンボルに挿入される。移動端末の物理レイヤの測定として、リファレンスシンボルの受信電力（Reference Symbol Received Power：ＲＳＲＰ）測定がある。【００１９】
非特許文献１（５章）に記載されるトランスポートチャネル（Transport channel）について、図５を用いて説明する。図５は、ＬＴＥ方式の通信システムで使用されるトランスポートチャネルを説明する説明図である。図５（Ａ）には、下りトランスポートチャネルと下り物理チャネルとの間のマッピングを示す。図５（Ｂ）には、上りトランスポートチャネルと上り物理チャネルとの間のマッピングを示す。下りトランスポートチャネルについて報知チャネル（Broadcast Channel：ＢＣＨ）は、その基地局（セル）のカバレッジ全体に報知される。ＢＣＨは、物理報知チャネル（ＰＢＣＨ）にマッピングされる。【００２０】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）とも言われる。ＤＬ−ＳＣＨは、移動端末の低消費電力化のために移動端末のＤＲＸ（Discontinuous reception）をサポートする。ＤＬ−ＳＣＨは、物理下り共有チャネル（ＰＤＳＣＨ）へマッピングされる。【００２１】
ページングチャネル（Paging Channel：ＰＣＨ）は、移動端末の低消費電力を可能とするために移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソース、あるいは他の制御チャネルの物理下り制御チャネル（ＰＤＣＣＨ）のような物理リソースへマッピングされる。マルチキャストチャネル（Multicast Channel：ＭＣＨ）は、基地局（セル）のカバレッジ全体への報知に使用される。ＭＣＨは、マルチセル送信におけるＭＢＭＳサービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。【００２２】
上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。図５（Ｂ）に示されるランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。【００２３】
ＨＡＲＱについて説明する。ＨＡＲＱとは、自動再送要求（Automatic Repeat reQuest：ＡＲＱ）と誤り訂正（Forward Error Correction）との組み合わせにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。【００２４】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。【００２５】
ＨＡＲＱ方式の一例として、チェースコンバイニング（Chase Combining）がある。チェースコンバイニングとは、初送と再送とにおいて、同じデータを送信するもので、再送において初送のデータと再送のデータとの合成を行うことで、利得を向上させる方式である。これは、初送データに誤りがあったとしても、部分的に正確なものも含まれており、正確な部分の初送データと再送データとを合成することで、より高精度にデータを送信できるという考え方に基づいている。また、ＨＡＲＱ方式の別の例として、ＩＲ（Incremental Redundancy）がある。ＩＲとは、冗長度を増加させるものであり、再送においてパリティビットを送信することで、初送と組み合わせて冗長度を増加させ、誤り訂正機能により品質を向上させるものである。【００２６】
非特許文献１（６章）に記載される論理チャネル（ロジカルチャネル：Logical channel）について、図６を用いて説明する。図６は、ＬＴＥ方式の通信システムで使用される論理チャネルを説明する説明図である。図６（Ａ）には、下りロジカルチャネルと下りトランスポートチャネルとの間のマッピングを示す。図６（Ｂ）には、上りロジカルチャネルと上りトランスポートチャネルとの間のマッピングを示す。報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。【００２７】
ページング制御チャネル（Paging Control Channel：ＰＣＣＨ）は、ページング信号を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を持っていない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。【００２８】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルである下り共有チャネル（ＤＬ−ＳＣＨ）あるいはマルチキャストチャネル（ＭＣＨ）へマッピングされる。【００２９】
個別制御チャネル（Dedicated Control Channel：ＤＣＣＨ）は、移動端末とネットワークとの間の個別制御情報を送信するチャネルである。ＤＣＣＨは、上りでは上り共有チャネル（ＵＬ−ＳＣＨ）へマッピングされ、下りでは下り共有チャネル（ＤＬ−ＳＣＨ）にマッピングされる。【００３０】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。【００３１】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、下り共有チャネル（ＤＬ−ＳＣＨ）あるいはマルチキャストチャネル（ＭＣＨ）へマッピングされる。【００３２】
ＧＣＩとは、グローバルセル識別子（Global Cell Identity）のことである。ＬＴＥおよびＵＭＴＳ（Universal Mobile Telecommunication System）において、ＣＳＧセル（Closed Subscriber Group cell）が導入される。ＣＳＧセルについて以下に説明する（非特許文献３  ３．１章参照）ＣＳＧ（Closed Subscriber Group）セルとは、利用可能な加入者をオペレータが特定しているセル（以下「特定加入者用セル」という場合がある）である。特定された加入者は、ＰＬＭＮ（Public Land Mobile Network）の１つ以上のＥ-ＵＴＲＡＮセルにアクセスすることが許可される。特定された加入者がアクセスを許可されている１つ以上のＥ−ＵＴＲＡＮセルを「ＣＳＧセル（ＣＳＧ  ｃｅｌｌ（ｓ））」と呼ぶ。ただし、ＰＬＭＮにはアクセス制限がある。ＣＳＧセルは、固有のＣＳＧアイデンティティ（CSG identity：ＣＳＧ  ＩＤ；ＣＳＧ−ＩＤ）を報知するＰＬＭＮの一部である。予め利用登録し、許可された加入者グループのメンバーは、アクセス許可情報であるところのＣＳＧ−ＩＤを用いてＣＳＧセルにアクセスする。【００３３】
ＣＳＧ−ＩＤは、ＣＳＧセルまたはセルによって報知される。移動体通信システムにＣＳＧ−ＩＤは複数存在する。そして、ＣＳＧ−ＩＤは、ＣＳＧ関連のメンバーのアクセスを容易にするために、移動端末（ＵＥ）によって使用される。移動端末の位置追跡は、１つ以上のセルからなる区域を単位に行われる。位置追跡は、待受け状態であっても移動端末の位置を追跡し、呼び出す（移動端末が着呼する）ことを可能にするためである。この移動端末の位置追跡のための区域をトラッキングエリアと呼ぶ。ＣＳＧホワイトリスト（CSG White List）とは、加入者が属するＣＳＧセルのすべてのＣＳＧ  ＩＤが記録されている、ＵＳＩＭ（Universal Subscriber Identity Module）に格納されたリストである。ＣＳＧホワイトリストは、許可ＣＳＧリスト（Allowed CSG ID List）と呼ばれることもある。【００３４】
「適切なセル」（Suitable cell）について以下に説明する（非特許文献３  ４．３章参照）。「適切なセル」（Suitable cell）とは、ＵＥが通常（normal）サービスを受けるためにキャンプオン（Camp ON）するセルである。そのようなセルは、以下の条件を満たすものとする。【００３５】
（１）セルは、選択されたＰＬＭＮもしくは登録されたＰＬＭＮ、または「Ｅｑｕｉｖａｌｅｎｔ  ＰＬＭＮリスト」のＰＬＭＮの一部であること。【００３６】
（２）ＮＡＳ（Non-Access Stratum）によって提供された最新情報にて、さらに以下の条件を満たすこと
（ａ）そのセルが禁じられた（barred）セルでないこと
（ｂ）そのセルが「ローミングのための禁止されたＬＡｓ」リストの一部ではなく、少なくとも１つのトラッキングエリア（Tracking Area:TA）の一部であること。その場合、そのセルは上記（１）を満たす必要がある
（ｃ）そのセルが、セル選択評価基準を満たしていること
（ｄ）そのセルが、ＣＳＧセルとしてシステム情報（System Information：ＳＩ）によって特定されたセルに関しては、ＣＳＧ−ＩＤはＵＥの「ＣＳＧホワイトリスト」（CSG WhiteList）の一部であること（ＵＥのCSG WhiteList中に含まれること）。【００３７】
「アクセプタブルセル」（Acceptable cell）について以下に説明する（非特許文献３  ４．３章参照）。これは、ＵＥが限られたサービス（緊急通報）を受けるためにキャンプオンするセルである。そのようなセルは、以下のすべての要件を充足するものとする。つまり、Ｅ−ＵＴＲＡＮネットワークで緊急通報を開始するための最小のセットの要件を以下に示す。（１）そのセルが禁じられた（barred）セルでないこと。（２）そのセルが、セル選択評価基準を満たしていること。【００３８】
「セルにキャンプオン（camp on）する」とは、ＵＥがセル選択（cell selection）またはセル再選択（cell re-selection）の処理を完了し、ＵＥがシステム情報とページング情報をモニタするセルを選択した状態である。【００３９】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、またはＥ-ＵＴＲＡＮにおけるＨｅＮＢは、例えば家庭、法人、商業用のアクセスサービス向けの基地局である。非特許文献４には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）である。【００４０】
各々のモードは、以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルである。ハイブリッドアクセスモードのセル（ハイブリッドセルとも称する）は、言い換えれば、オープンアクセスモードとクローズドアクセスモードの両方をサポートするセルである。【００４１】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５参照）。またＰＣＩスプリット情報は、システム情報にて基地局から傘下の移動端末に対して報知されることが議論されている。非特許文献５は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。【００４２】
また３ＧＰＰでは、リリース１０として、ロングタームエボリューションアドヴァンスド（Long Term Evolution Advanced：ＬＴＥ−Ａ）の規格策定が進められている（非特許文献６、非特許文献７参照）。【００４３】
ＬＴＥ−Ａシステムでは、高い通信速度、セルエッジでの高いスループット、新たなカバレッジエリアなどを得るために、リレー（Relay：リレーノード（ＲＮ））をサポートすることが検討されている。リレーノードは、ドナーセル（Donor cell；Donor eNB；ＤｅＮＢ）を介して無線アクセスネットワークに無線で接続される。ドナーセルの範囲内で、ネットワーク（Network：ＮＷ）からリレーへのリンクは、ネットワークからＵＥへのリンクと同じ周波数バンドを共用する。この場合、リリース８のＵＥも該ドナーセルに接続することを可能とする。ドナーセルとリレーノードとの間のリンクをバックホールリンク（backhaul link）と称し、リレーノードとＵＥとの間のリンクをアクセスリンク（access link）と称す。【００４４】
ＦＤＤ（Frequency Division Duplex）におけるバックホールリンクの多重方法として、ＤｅＮＢからＲＮへの送信は下り（ＤＬ）周波数バンドで行われ、ＲＮからＤｅＮＢへの送信は上り（ＵＬ）周波数バンドで行われる。リレーにおけるリソースの分割方法として、ＤｅＮＢからＲＮへのリンクおよびＲＮからＵＥへのリンクが一つの周波数バンドで時分割多重され、ＲＮからＤｅＮＢへのリンクおよびＵＥからＲＮへのリンクも一つの周波数バンドで時分割多重される。こうすることで、リレーにおいて、リレーの送信が自リレーの受信へ干渉することを防ぐことができる。【００４５】
ＬＴＥ−Ａで検討される技術の一つとして、ヘテロジーニアスネットワークス（Heterogeneous networks：ＨｅｔＮｅｔｓ）が加えられた。３ＧＰＰでは、ピコｅＮＢ（ピコセル（pico cell））、ホットゾーンセル用のノード、ＨｅＮＢ／ＨＮＢ／ＣＳＧセル、リレーノード、リモートラジオヘッド（ＲＲＨ）のような低出力電力のローカルエリアレンジのネットワークノードを扱うことが決定されている。【００４６】
また、３ＧＰＰでは、インフラ（infrastructure）の消費電力低減（Energy Saving）について議論がされている。インフラの消費電力低減を実現するための技術が、例えば非特許文献８に開示されている。非特許文献８に開示される技術では、ｅＮＢが構成するセルにアクティブなＵＥが存在しないときに、ｅＮＢは、拡張セル（Extended Cell）間欠送信（Discontinuous Transmission；ＤＴＸ）という送信状態に移行することができる。拡張セルＤＴＸでは、ｅＮＢはＳＳ、ＰＢＣＨ、ＰＢＣＨの復調に必要な参照信号ＲＳ（Reference Signal）のみを送信する。ＵＥは、拡張セルＤＴＸ状態のセルの受信レベルを測定するために、ＲＳの代替にＳ−ＳＳの受信信号強度を測定する。
【先行技術文献】
【非特許文献】
【００４７】
【非特許文献１】３ＧＰＰ  ＴＳ３６．３００  Ｖ９．１．０  ４．６．１章、４．６．２章、５章、６章、１０．７章
【非特許文献２】３ＧＰＰ  Ｒ１−０７２９６３
【非特許文献３】３ＧＰＰ  ＴＳ３６．３０４  Ｖ９．０．０  ３．１章、４．３章、５．２．４章
【非特許文献４】３ＧＰＰ  Ｓ１−０８３４６１
【非特許文献５】３ＧＰＰ  Ｒ２−０８２８９９
【非特許文献６】３ＧＰＰ  ＴＲ  ３６．８１４  Ｖ１.１.１
【非特許文献７】３ＧＰＰ  ＴＲ  ３６．９１２  Ｖ９.０.０
【非特許文献８】３ＧＰＰ  Ｒ１−０９５０１１
【発明の概要】
【発明が解決しようとする課題】
【００４８】
前述のように、拡張セルＤＴＸでは、アクティブなＵＥが存在するか否かという概念しかないので、待ち受け（ＲＲＣ＿ＩＤＬＥまたはＩＤＬＥ）状態のＵＥに対する送信状態が明確に定義されていない。待ち受け状態で、ＵＥは、規格上ではＤＲＸ周期でページングに関する情報だけ受信すればよい。一方、拡張セルＤＴＸで送信するＳＳ、ＰＢＣＨは、待ち受け状態のＵＥが受信する必要のない信号である。拡張セルＤＴＸの送信は、待ち受け状態のＵＥにとって不要な送信を行うため、効率的に低消費電力化が実現できないという問題が発生する。【００４９】
このように従来の技術では、待ち受け状態のＵＥがセル圏内に存在する場合、ｅＮＢなどのネットワークノードの低消費電力化を効率良く行うことができない。待ち受け状態のＵＥがセル圏内に存在する場合でも、ネットワークノードの低消費電力化を効率良く行うことは、システムの低消費電力化を進めていく上で重要な課題である。【００５０】
本発明の目的は、待ち受け状態の移動端末装置（ＵＥ）が存在する場合でもネットワークノードにおける低消費電力化を効率良く行うことができる移動体通信システムを提供することである。
【課題を解決するための手段】
【００５１】
本発明の移動体通信システムは、基地局装置と、前記基地局装置と無線通信可能な移動端末装置とを備える移動体通信システムであって、前記移動端末装置の位置を追跡する範囲として予め定められるトラッキングエリア内に設けられる複数の前記基地局装置と、複数の前記基地局装置を制御するネットワーク制御装置とを備え、前記移動端末装置は、電源が投入された状態で通信していない待ち受け状態であるとき、前記基地局装置から送信される前記移動端末装置を呼び出すための呼び出し信号を間欠的に受信し、前記ネットワーク制御装置は、前記トラッキングエリア内に前記移動端末装置が存在するか否かを判断し、その判断結果を各前記基地局装置に通知し、各前記基地局装置は、前記移動端末装置が前記待ち受け状態であるとき、前記ネットワーク制御装置から前記トラッキングエリア内に前記移動端末装置が存在することが通知され、かつ前記移動端末装置と通信していないと判断すると、前記呼び出し信号を送信するべき期間として予め周期的に定める呼び出し期間に、前記呼び出し信号、および前記基地局装置から送信される信号の前記移動端末装置における受信レベルを求めるための参照信号のうち、少なくとも前記参照信号を送信する間欠送信動作を行うとともに、前記呼び出し信号が送信される無線フレームとは異なる別の無線フレームにおいて、前記移動端末装置と同期するための同期信号および報知チャネルを送信することを特徴とする。
【発明の効果】
【００５２】
本発明の移動体通信システムによれば、移動端末装置が待ち受け状態であるとき、基地局装置は、呼び出し期間に、呼び出し信号および参照信号のうち、少なくとも参照信号を送信する間欠送信動作を行う。これによって移動端末装置は、呼び出し期間に参照信号を受信することができるので、基地局装置から送信される信号の受信レベルを求め、呼び出し信号の有無の判定などに用いることができる。また基地局装置は、呼び出し期間以外の期間には送信電力を抑制することができるので、消費電力を低減することができる。したがって、待ち受け状態の移動端末装置が存在する場合でも、ネットワークノードである基地局装置における低消費電力化を効率良く行うことができる。
またトラッキングエリア内には複数の基地局装置が設けられる。ネットワーク制御装置は、そのトラッキングエリア内に移動端末装置が存在するか否かを判断し、その判断結果を各基地局装置に通知する。各基地局装置は、トラッキングエリア内に移動端末装置が存在することがネットワーク制御装置から通知され、かつ、その移動端末装置と通信していないと判断すると、前述の間欠送信動作を行う。これによって、同じトラッキングエリア内の複数の基地局装置において、前述の間欠送信動作を行うことができる。
また各基地局装置によって、前述の間欠送信動作が行われるとともに、呼び出し信号が送信される無線フレームとは異なる別の無線フレームにおいて、移動端末装置と同期するための同期信号および報知チャネルが送信される。
【００５３】
この発明の目的、特徴、局面、および利点は、以下の詳細な説明と添付図面とによって、より明白となる。
【図面の簡単な説明】
【００５４】
【図１】ＬＴＥ方式の通信システムの構成を示す説明図である。
【図２】ＬＴＥ方式の通信システムで使用される無線フレームの構成を示す説明図である。
【図３】ＭＢＳＦＮフレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰにおいて議論されているＬＴＥ方式の移動体通信システムの全体的な構成を示すブロック図である。
【図８】本発明に係る移動端末（図７の移動端末７１）の構成を示すブロック図である。
【図９】本発明に係る基地局（図７の基地局７２）の構成を示すブロック図である。
【図１０】本発明に係るＭＭＥ（図７のＭＭＥ部７３）の構成を示すブロック図である。
【図１１】本発明に係るＨｅＮＢＧＷである図７に示すＨｅＮＢＧＷ７４の構成を示すブロック図である。
【図１２】ＬＴＥ方式の通信システムにおいて移動端末（ＵＥ）が行うセルサーチから待ち受け動作までの概略を示すフローチャートである。
【図１３】非特許文献８の課題を説明するタイミングチャートである。
【図１４】非特許文献８の課題を説明するロケーション図である。
【図１５】実施の形態１の解決策を用いた基地局送信信号の例を説明するタイミングチャートである。
【図１６】実施の形態１の解決策を説明するロケーション図である。
【図１７】実施の形態１の解決策を説明する状態遷移図である。
【図１８】実施の形態１の解決策を説明する状態遷移図である。
【図１９】実施の形態１の解決策を用いた場合の移動体通信システムのシーケンス例を説明する図である。
【図２０】実施の形態１の解決策を用いた場合の移動体通信システムのシーケンス例を説明する図である。
【図２１】実施の形態１の解決策を用いた場合の移動体通信システムのシーケンス例を説明する図である。
【図２２】実施の形態１の解決策を用いた場合の移動体通信システムのシーケンス例を説明する図である。
【図２３】実施の形態１の解決策を用いた場合の移動体通信システムのシーケンス例を説明する図である。
【図２４】実施の形態１の解決策を用いた場合の移動体通信システムのシーケンス例を説明する図である。
【図２５】実施の形態１の変形例１の課題を説明するロケーション図である。
【図２６】実施の形態１の変形例１の解決策を説明するロケーション図である。
【図２７】実施の形態１の変形例１の解決策を用いた場合の移動体通信システムのシーケンス例を説明する図である。
【図２８】実施の形態１の変形例１の解決策を用いた場合の移動体通信システムのシーケンス例を説明する図である。
【図２９】実施の形態１の変形例１の解決策を用いた場合の移動体通信システムのシーケンス例を説明する図である。
【図３０】実施の形態１の変形例１の解決策を用いた場合の移動体通信システムのシーケンス例を説明する図である。
【図３１】実施の形態１の変形例１の解決策を用いた基地局送信信号の例を説明するタイミングチャートである。
【図３２】実施の形態１の変形例２の課題を説明するロケーション図である。
【図３３】実施の形態１の変形例２の解決策を用いた基地局送信信号の例を説明するタイミングチャートである。
【図３４】実施の形態１の変形例２の解決策を説明する状態遷移図である。
【図３５】実施の形態１の変形例２の解決策を説明するロケーション図である。
【図３６】実施の形態１の変形例３の課題を説明するロケーション図である。
【図３７】実施の形態１の変形例３の解決策を用いた場合の移動体通信システムのシーケンス例を説明する図である。
【図３８】実施の形態１の変形例３の解決策を用いた場合の移動体通信システムのシーケンス例を説明する図である。
【図３９】実施の形態１の変形例３の解決策を用いた場合の移動体通信システムのシーケンス例を説明する図である。
【発明を実施するための形態】
【００５５】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（Ｅ−ＵＴＲＡＮのＨｏｍｅ−ｅＮｏｄｅＢ（Ｈｏｍｅ−ｅＮＢ；ＨｅＮＢ）、ＵＴＲＡＮのＨｏｍｅ−ＮＢ（ＨＮＢ））と、ｎｏｎ−ＣＳＧセル（Ｅ−ＵＴＲＡＮのｅＮｏｄｅＢ（ｅＮＢ）、ＵＴＲＡＮのＮｏｄｅＢ（ＮＢ）、ＧＥＲＡＮのＢＳＳ）とを含めたシステムの全体的な構成が検討されており、Ｅ−ＵＴＲＡＮについては、図７のような構成が提案されている（非特許文献１  ４．６．１.章参照）。
【００５６】
図７について説明する。移動端末装置（以下「移動端末（User Equipment：ＵＥ）」という）７１は、基地局装置（以下「基地局」という）７２と無線通信可能であり、無線通信で信号の送受信を行う。基地局７２は、ｅＮＢ７２−１と、Ｈｏｍｅ−ｅＮＢ７２−２とに分類される。ｅＮＢ７２−１は、ＭＭＥ、あるいはＳ−ＧＷ、あるいはＭＭＥおよびＳ−ＧＷを含むＭＭＥ／Ｓ−ＧＷ部（以下「ＭＭＥ部」という）７３とＳ１インタフェースにより接続され、ｅＮＢ７２−１とＭＭＥ部７３との間で制御情報が通信される。ひとつのｅＮＢ７２−１に対して、複数のＭＭＥ部７３が接続されてもよい。ｅＮＢ７２−１間は、Ｘ２インタフェースにより接続され、ｅＮＢ７２−１間で制御情報が通信される。
【００５７】
Ｈｏｍｅ−ｅＮＢ７２−２は、ＭＭＥ部７３とＳ１インタフェースにより接続され、Ｈｏｍｅ−ｅＮＢ７２−２とＭＭＥ部７３との間で制御情報が通信される。ひとつのＭＭＥ部７３に対して、複数のＨｏｍｅ−ｅＮＢ７２−２が接続される。あるいは、Ｈｏｍｅ−ｅＮＢ７２−２は、ＨｅＮＢＧＷ（Home-eNB GateWay）７４を介してＭＭＥ部７３と接続される。Ｈｏｍｅ−ｅＮＢ７２−２とＨｅＮＢＧＷ７４とは、Ｓ１インタフェースにより接続され、ＨｅＮＢＧＷ７４とＭＭＥ部７３とはＳ１インタフェースを介して接続される。ひとつまたは複数のＨｏｍｅ−ｅＮＢ７２−２がひとつのＨｅＮＢＧＷ７４と接続され、Ｓ１インタフェースを通して情報が通信される。ＨｅＮＢＧＷ７４は、ひとつまたは複数のＭＭＥ部７３と接続され、Ｓ１インタフェースを通して情報が通信される。
【００５８】
さらに現在３ＧＰＰでは、以下のような構成が検討されている。Ｈｏｍｅ−ｅＮＢ７２−２間のＸ２インタフェースはサポートされない。ＭＭＥ部７３からは、ＨｅＮＢＧＷ７４はｅＮＢ７２−１として見える。Ｈｏｍｅ−ｅＮＢ７２−２からは、ＨｅＮＢＧＷ７４はＭＭＥ部７３として見える。Ｈｏｍｅ−ｅＮＢ７２−２が、ＨｅＮＢＧＷ７４を介してＭＭＥ部７３に接続されるか否かに関係なく、Ｈｏｍｅ−ｅＮＢ７２−２とＭＭＥ部７３との間のインタフェースは、Ｓ１インタフェースで同じである。ＨｅＮＢＧＷ７４は、複数のＭＭＥ部７３にまたがるような、Ｈｏｍｅ−ｅＮＢ７２−２へのモビリティ、あるいはＨｏｍｅ−ｅＮＢ７２−２からのモビリティはサポートしない。Ｈｏｍｅ−ｅＮＢ７２−２は、唯一のセルをサポートする。
【００５９】
図８は、本発明に係る移動端末（図７の移動端末７１）の構成を示すブロック図である。図８に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【００６０】
また、移動端末７１の受信処理は、以下のとおりに実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図８では省略しているが、各部８０１〜８０９と接続している。
【００６１】
図９は、本発明に係る基地局（図７の基地局７２）の構成を示すブロック図である。基地局７２は、ＥＰＣ通信部９０１、他基地局通信部９０２、プロトコル通信部９０３、送信データバッファ部９０４、エンコーダー部９０５、変調部９０６、周波数変換部９０７、アンテナ９０８、復調部９０９、デコーダー部９１０、制御部１２１１およびセル（Cell）ＤＴＸ制御部９１５を備えて構成される。
【００６２】
ＥＰＣ通信部９０１は、基地局７２と、コアネットワークであるＥＰＣ（ＭＭＥ部７３、ＨｅＮＢＧＷ７４などを含む）との間のデータの送受信を行う。ＭＭＥおよびＨｅＮＢＧＷなどのコアネットワークを構成する装置は、ネットワーク制御装置に相当する。他基地局通信部９０２は、他の基地局との間のデータの送受信を行う。基地局７２である前述の図７に示すｅＮＢ７２−１およびＨｏｍｅ−ｅＮＢ７２−２のうち、Ｈｏｍｅ−ｅＮＢ７２−２間のＸ２インタフェースはサポートされない方向であるため、Ｈｏｍｅ−ｅＮＢ７２−２では、他基地局通信部９０２が存在しないことも考えられる。ＥＰＣ通信部９０１および他基地局通信部９０２は、それぞれプロトコル処理部９０３と情報の受け渡しを行う。
【００６３】
図９に示す基地局７２の送信処理を説明する。まず、プロトコル処理部９０３からの制御データ、ならびにＥＰＣ通信部９０１および他基地局通信部９０２からのユーザデータおよび制御データが、送信データバッファ部９０４へ保存される。送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【００６４】
セル（Cell）ＤＴＸ制御部９１５は、ＵＥ状態監視部９１２、送信状態判定部９１３および送信ＯＮ／ＯＦＦ制御部９１４を備える。ＵＥ状態監視部９１２は、プロトコル処理部９０３から与えられるＵＥに関する情報に基づいて、ＵＥの状態を監視し、送信状態判定部９１３に通知する。本実施の形態とは異なるが、前述の非特許文献８に開示される技術では、ＵＥ状態監視部９１２は、基地局７２のカバレッジ内にアクティブなＵＥが存在するか否かを監視し、ＵＥの状態を送信状態判定部９１３に通知する。
【００６５】
送信状態判定部９１３は、ＵＥ状態監視部９１２から与えられるＵＥの状態に基づいて、基地局７２の送信状態を、どのような状態にするかを決定する。換言すれば、送信状態判定部９１３は、基地局７２の送信状態として設定するべき状態を判定する。本実施の形態とは異なるが、前述の非特許文献８に開示される技術では、送信状態判定部９１３は、ＵＥ状態監視部９１２から、アクティブなＵＥが存在しないと通知された場合は、拡張セルＤＴＸと判定し、ＵＥ状態監視部９１２から、アクティブなＵＥが存在すると通知された場合は通常の送信と判定する。送信状態判定部９１３は、判定結果を送信ＯＮ／ＯＦＦ制御部９１４に通知する。
【００６６】
送信ＯＮ／ＯＦＦ制御部９１４は、周波数変換部９０７を、送信するべき信号が有るタイミングでは、送信動作をオン（ＯＮ）する、すなわち送信動作を行うように制御し、ＵＥに送信するべき信号（以下「下り送信信号」という場合がある）が無いタイミングでは、送信動作をオフ（ＯＦＦ）する、すなわち送信動作を行わないように制御する機能を有する。送信ＯＮ／ＯＦＦ制御部９１４は、送信状態判定部９１３から通知される判定結果に応じて、送信のＯＮ、ＯＦＦの制御信号を周波数変換部９０７に与える。
【００６７】
また、基地局７２の受信処理は以下のとおりに実行される。ひとつもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図９では省略しているが、基地局７２の各部９０１〜９１０，９１５と接続されている。
【００６８】
現在３ＧＰＰにおいて議論されているＨｏｍｅ−ｅＮＢ７２−２の機能を以下に示す（非特許文献１  ４．６．２章参照）。Ｈｏｍｅ−ｅＮＢ７２−２は、ｅＮＢ７２−１と同じ機能を有する。加えて、ＨｅＮＢＧＷ７４と接続する場合、Ｈｏｍｅ−ｅＮＢ７２−２は、適当なサービングＨｅＮＢＧＷ７４を発見する機能を有する。Ｈｏｍｅ−ｅＮＢ７２−２は、１つのＨｅＮＢＧＷ７４に唯一接続する。つまり、ＨｅＮＢＧＷ７４との接続の場合は、Ｈｏｍｅ−ｅＮＢ７２−２は、Ｓ１インタフェースにおけるＦｌｅｘ機能を使用しない。Ｈｏｍｅ−ｅＮＢ７２−２は、１つのＨｅＮＢＧＷ７４に接続されると、同時に別のＨｅＮＢＧＷ７４や別のＭＭＥ部７３に接続しない。
【００６９】
Ｈｏｍｅ−ｅＮＢ７２−２のＴＡＣとＰＬＭＮ  ＩＤは、ＨｅＮＢＧＷ７４によってサポートされる。Ｈｏｍｅ−ｅＮＢ７２−２をＨｅＮＢＧＷ７４に接続すると、「ＵＥ  ａｔｔａｃｈｍｅｎｔ」でのＭＭＥ部７３の選択は、Ｈｏｍｅ−ｅＮＢ７２−２の代わりに、ＨｅＮＢＧＷ７４によって行われる。Ｈｏｍｅ−ｅＮＢ７２−２は、ネットワーク計画なしで配備される可能性がある。この場合、Ｈｏｍｅ−ｅＮＢ７２−２は、１つの地理的な領域から別の地理的な領域へ移される。したがって、この場合のＨｏｍｅ−ｅＮＢ７２−２は、位置によって、異なったＨｅＮＢＧＷ７４に接続する必要がある。
【００７０】
図１０は、本発明に係るＭＭＥ（図７のＭＭＥ部７３）の構成を示すブロック図である。ＰＤＮ  ＧＷ通信部１００１は、ＭＭＥ部７３とＰＤＮ  ＧＷとの間のデータの送受信を行う。基地局通信部１００２は、ＭＭＥ部７３と基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【００７１】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【００７２】
ＨｅＮＢＧＷ通信部１００４は、ＨｅＮＢＧＷ７４が存在する場合に設けられ、情報種別によって、ＭＭＥ部７３とＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００７３】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１は、ＮＡＳ（Non-Access Stratum）メッセージのセキュリティなどを行う。ＳＡＥベアラコントロール部１００５―２は、ＳＡＥ（System Architecture Evolution）のベアラの管理などを行う。アイドルステートモビリティ管理部１００５―３は、待受け状態（ＬＴＥ−ＩＤＬＥ状態、単にアイドルとも称される）のモビリティ管理、待受け状態時のページング信号の生成および制御、傘下の１つあるいは複数の移動端末７１のトラッキングエリア（ＴＡ）の追加、削除、更新、検索、トラッキングエリアリスト（TA List）管理などを行う。
【００７４】
ＭＭＥ部７３は、ＵＥが登録されている（registered）追跡領域（トラッキングエリア：Tracking Area：ＴＡ）に属するセルへ、ページングメッセージを送信することで、ページングプロトコルに着手する。ＭＭＥ部７３に接続されるＨｏｍｅ−ｅＮＢ７２−２のＣＳＧの管理やＣＳＧ−ＩＤの管理、そしてホワイトリスト管理は、アイドルステートモビリティ管理部１００５―３で行ってもよい。
【００７５】
ＣＳＧ−ＩＤの管理では、ＣＳＧ−ＩＤに対応する移動端末とＣＳＧセルとの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルとの関係であってもよい。ホワイトリスト管理では、移動端末とＣＳＧ−ＩＤとの関係が管理（追加、削除、更新、検索）される。例えば、ホワイトリストには、ある移動端末がユーザ登録した一つまたは複数のＣＳＧ−ＩＤが記憶されてもよい。これらのＣＳＧに関する管理は、ＭＭＥ部７３の中の他の部分で行われてもよい。ＭＭＥ部７３の一連の処理は、制御部１００６によって制御される。よって制御部１００６は、図１０では省略しているが、各部１００１〜１００５と接続している。
【００７６】
現在３ＧＰＰにおいて議論されているＭＭＥの機能を以下に示す（非特許文献１  ４．６．２章参照）。ＭＭＥは、ＣＳＧ（Closed Subscriber Group）のメンバーの１つ、あるいは複数の移動端末のアクセスコントロールを行う。ＭＭＥは、ページングの最適化（Paging optimization）の実行をオプションとして認める。
【００７７】
図１１は、本発明に係るＨｅＮＢＧＷである図７に示すＨｅＮＢＧＷ７４の構成を示すブロック図である。ＥＰＣ通信部１１０１は、ＨｅＮＢＧＷ７４とＭＭＥ部７３との間のＳ１インタフェースによるデータの送受信を行う。基地局通信部１１０２は、ＨｅＮＢＧＷ７４とＨｏｍｅ−ｅＮＢ７２−２との間のＳ１インタフェースによるデータの送受信を行う。ロケーション処理部１１０３は、ＥＰＣ通信部１１０１経由で渡されたＭＭＥ部７３からのデータのうちレジストレーション情報などを、複数のＨｏｍｅ−ｅＮＢ７２−２に送信する処理を行う。ロケーション処理部１１０３で処理されたデータは、基地局通信部１１０２に渡され、ひとつまたは複数のＨｏｍｅ−ｅＮＢ７２−２にＳ１インタフェースを介して送信される。
【００７８】
ロケーション処理部１１０３での処理を必要とせず通過（透過）させるだけのデータは、ＥＰＣ通信部１１０１から基地局通信部１１０２に渡され、ひとつまたは複数のＨｏｍｅ−ｅＮＢ７２−２にＳ１インタフェースを介して送信される。ＨｅＮＢＧＷ７４の一連の処理は、制御部１１０４によって制御される。よって制御部１１０４は、図１１では省略しているが、各部１１０１〜１１０３と接続している。
【００７９】
現在３ＧＰＰにおいて議論されているＨｅＮＢＧＷ７４の機能を以下に示す（非特許文献１  ４．６．２章参照）。ＨｅＮＢＧＷ７４は、Ｓ１アプリケーションについてリレーする。Ｈｏｍｅ−ｅＮＢ７２−２へのＭＭＥ部７３の手順の一部分であるが、ＨｅＮＢＧＷ７４は、移動端末７１に関係しないＳ１アプリケーションについて終端する。ＨｅＮＢＧＷ７４が配置されるとき、移動端末７１に無関係な手順がＨｏｍｅ−ｅＮＢ７２−２とＨｅＮＢＧＷ７４との間、そしてＨｅＮＢＧＷ７４とＭＭＥ部７３との間を通信される。ＨｅＮＢＧＷ７４と他のノードとの間でＸ２インタフェースは設定されない。ＨｅＮＢＧＷ７４は、ページングの最適化（Paging optimization）の実行をオプションとして認める。
【００８０】
次に移動体通信システムにおける一般的なセルサーチ方法の一例を示す。図１２は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。Ｐ−ＳＳとＳ−ＳＳとを合わせて、同期信号（ＳＳ）には、セル毎に割り当てられたＰＣＩ（Physical Cell Identity）に１対１に対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。
【００８１】
次に同期がとれたセルに対して、ステップＳＴ１２０２で、基地局からセル毎に送信される参照信号ＲＳ（Reference Signal）を検出し受信電力の測定を行う。参照信号ＲＳには、ＰＣＩと１対１に対応したコードが用いられており、そのコードで相関をとることによって他セルと分離できる。ステップＳＴ１２０１で特定したＰＣＩから、該セルのＲＳ用のコードを導出することによって、ＲＳを検出し、ＲＳ受信電力を測定することが可能となる。
【００８２】
次にステップＳＴ１２０３で、ステップＳＴ１２０２までで検出されたひとつ以上のセルの中から、ＲＳの受信品質が最も良いセル、例えば、ＲＳの受信電力が最も高いセル、つまりベストセルを選択する。
【００８３】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がのる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【００８４】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、ＴＡＣ（Tracking Area Code）が含まれる。
【００８５】
次にステップＳＴ１２０６で、移動端末は、ステップＳＴ１２０５で受信したＳＩＢ１のＴＡＣと、移動端末が既に保有しているＴＡＣとを比較する。比較した結果、同じならば、該セルで待ち受け動作に入る。比較して異なる場合は、移動端末は該セルを通してコアネットワーク（Core Network，ＥＰＣ）（ＭＭＥなどが含まれる）へ、ＴＡＵ（Tracking Area Update）を行うためにＴＡの変更を要求する。コアネットワークは、ＴＡＵ要求信号とともに移動端末から送られてくる該移動端末の識別番号（ＵＥ−ＩＤなど）をもとに、ＴＡの更新を行う。コアネットワークは、ＴＡの更新後、移動端末にＴＡＵ受領信号を送信する。移動端末は、該セルのＴＡＣで、移動端末が保有するＴＡＣ（あるいはＴＡＣリスト）を書き換える（更新する）。その後、移動端末は、該セルで待ち受け動作に入る。
【００８６】
ＬＴＥやＵＭＴＳ（Universal Mobile Telecommunication System）においては、ＣＳＧ（Closed Subscriber Group）セルの導入が検討されている。前述したように、ＣＳＧセルに登録したひとつまたは複数の移動端末のみにアクセスが許される。ＣＳＧセルと登録されたひとつまたは複数の移動端末とがひとつのＣＳＧを構成する。このように構成されたＣＳＧには、ＣＳＧ−ＩＤと呼ばれる固有の識別番号が付される。なお、ひとつのＣＳＧには、複数のＣＳＧセルがあってもよい。移動端末は、どれかひとつのＣＳＧセルに登録すれば、そのＣＳＧセルが属するＣＳＧの他のＣＳＧセルにはアクセス可能となる。
【００８７】
また、ＬＴＥでのＨｏｍｅ−ｅＮＢやＵＭＴＳでのＨｏｍｅ−ＮＢが、ＣＳＧセルとして使われることがある。ＣＳＧセルに登録した移動端末は、ホワイトリストを有する。具体的には、ホワイトリストはＳＩＭ（Subscriber Identity Module）／ＵＳＩＭに記憶される。ホワイトリストには、移動端末が登録したＣＳＧセルのＣＳＧ情報が格納される。ＣＳＧ情報として具体的には、ＣＳＧ−ＩＤ、ＴＡＩ（Tracking Area Identity）、ＴＡＣなどが考えられる。ＣＳＧ−ＩＤとＴＡＣとが対応付けられていれば、どちらか一方でよい。また、ＣＳＧ−ＩＤおよびＴＡＣと、ＧＣＩ（Global Cell Identity）とが対応付けられていればＧＣＩでもよい。
【００８８】
以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【００８９】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５参照）。またＰＣＩスプリット情報は、システム情報にて基地局から傘下の移動端末に対して報知されることが議論されている。非特許文献５は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。
【００９０】
また３ＧＰＰでは、ハイブリッドセルのためのＰＣＩは、ＣＳＧセル用のＰＣＩ範囲の中には含まれないことが決定されている（非特許文献１  １０．７章参照）。
【００９１】
ＨｅＮＢおよびＨＮＢに対しては、様々なサービスへの対応が求められている。例えば、オペレータは、ある決められたＨｅＮＢおよびＨＮＢに移動端末を登録させ、登録した移動端末のみにＨｅＮＢおよびＨＮＢのセルへのアクセスを許可することで、該移動端末が使用できる無線リソースを増大させて、高速に通信を行えるようにする。その分、オペレータは、課金料を通常よりも高く設定する、といったサービスである。
【００９２】
このようなサービスを実現するため、登録した（加入した、メンバーとなった）移動端末のみがアクセスできるＣＳＧセル（Closed Subscriber Group cell）が導入されている。ＣＳＧセル（Closed Subscriber Group cell）は、商店街やマンション、学校、会社などへ数多く設置されることが要求される。例えば、商店街では店舗毎、マンションでは部屋毎、学校では教室毎、会社ではセクション毎にＣＳＧセルを設置し、各ＣＳＧセルに登録したユーザのみが該ＣＳＧセルを使用可能とするような使用方法が要求されている。ＨｅＮＢ／ＨＮＢは、マクロセルのカバレッジ外での通信を補完するためだけでなく、上述したような様々なサービスへの対応が求められている。このため、ＨｅＮＢ／ＨＮＢがマクロセルのカバレッジ内に設置される場合も生じる。
【００９３】
ＬＴＥ−Ａで検討される技術の一つとして、ヘテロジーニアスネットワークス（Heterogeneous networks：ＨｅｔＮｅｔｓ）が加えられた。３ＧＰＰでは、ピコｅＮＢ（ピコセル（pico cell））、ホットゾーンセル用のノード、ＨｅＮＢ／ＨＮＢ／ＣＳＧセル、リレーノード、リモートラジオヘッド（ＲＲＨ）のような低出力電力のローカルエリアレンジ（Local-area range）のネットワークノード（ローカルエリアレンジノード（local area range node）、ローカルエリアノード（local area node）、ローカルノード（local node））を扱う。したがって、通常のｅＮＢ（マクロセル）に、このようなローカルエリアレンジノードを一つ以上組み入れたネットワークの運用が要求される。通常のｅＮＢ（マクロセル）に、このようなローカルエリアレンジノードを一つ以上組み入れたネットワークがヘテロジーニアスネットワークスと呼ばれ、干渉低減方法、キャパシティー改善方法などが検討される。
【００９４】
現在３ＧＰＰでは、インフラ（infrastructure）の消費電力低減（Energy Saving）について議論がされている。具体的には、以下の議論がなされている。例えば、前述の非特許文献８には、基地局が構成するセルの圏内、すなわちカバレッジ内にアクティブなＵＥが存在しない場合、または、存在するＵＥがＩＤＬＥモード（待ち受け状態）である場合、基地局はＳＳおよびＰＢＣＨのみを送信することが開示されている。基地局は、送信するＯＦＤＭシンボルがないときは、送信をＯＦＦすることで消費電力低減を行うことができる。
【００９５】
図１３は、非特許文献８の課題を説明するタイミングチャートである。図１３に示すように、ＳＳは無線フレーム（１０ｍｓ）の中で、１番目のサブフレーム＃０と６番目のサブフレーム＃５とに配置され、ＰＢＣＨは無線フレーム（１０ｍｓ）の中で、１番目のサブフレーム＃０に配置される。したがって、基地局は、５ｍｓ周期でＳＳおよびＰＢＣＨのＯＦＤＭシンボルがあるときには、送信動作をオン（ＯＮ）して、ＵＥに送信すべき下り送信信号を送信し、その他の期間は、送信動作をオフ（ＯＦＦ）して、前記下り送信信号の送信動作を停止することができる。この技術は、拡張セルＤＴＸ（Discontinuous Transmission）と呼ばれている。
【００９６】
実施の形態１で解決する課題について、以下に説明する。非特許文献８に開示される技術では、ＵＥがＩＤＬＥモード（待ち受け状態）であるときも、基地局は拡張セルＤＴＸでＳＳおよびＰＢＣＨを送信することとしている。一方で、ＵＥは、待ち受け状態のときは、低消費電力化のために、ＤＲＸ（Discontinuous Reception）周期とよばれる比較的長い周期、例えば１秒〜５秒程度の周期でページング情報とセルのみを受信している。ローカルエリアレンジのネットワークノードは、ＣＳＧに属する限定されたＵＥのみをサービスの対象にしている。
【００９７】
非特許文献８では、ＩＤＬＥモードのＵＥがＤＲＸ周期でページングを受信していることについては言及されていない。基地局は、ＵＥに対するページング、すなわち呼び出しがネットワークから発生しているときにだけ、ページング情報をＵＥに対して送信する。ＵＥは、ページング情報が送信されるタイミングで受信を行い、ページングの有無を最初に判定する。ページング情報が送信されるタイミングは、ＰＯ（Paging Occasion）と呼ばれる。
【００９８】
以降、便宜のためローカルエリアレンジのネットワークノードを、ローカルｅＮＢ（Local eNB）と記載する。ローカルｅＮＢは、送信電力である出力電力が比較的小さい。これに対して、ワイドエリアｅＮＢ、例えば通常のｅＮＢ（マクロセル）は、出力電力が比較的大きい。すなわち、ローカルｅＮＢの出力電力は、ワイドエリアｅＮＢの出力電力に比べて小さい。ローカルｅＮＢを、ローカル基地局装置という場合がある。
【００９９】
非特許文献８に開示された方法を、図１４の状況に適用した場合、以下の課題が発生する。図１４は、非特許文献８の課題を説明するロケーション図である。ローカルｅＮＢ１４０１の通信可能範囲であるカバレッジ１４０２内に、移動端末（ＵＥ）１４０３が存在する。ここで、ローカルｅＮＢ１４０１のＣＳＧに属するＵＥは、ＵＥ１４０３だけとする。移動端末１４０３は、待受け状態（ＩＤＬＥ）とし、ローカルｅＮＢ１４０１のＰＯをＤＲＸ周期、具体的には１秒〜５秒程度の周期で受信しているとする。ローカルｅＮＢ１４０１は、カバレッジ１４０２内のＵＥ１４０３がＩＤＬＥであるため、拡張セルＤＴＸを適用して送信する、つまり、ＳＳおよびＰＢＣＨを５ｍｓ周期で送信する。該ＣＳＧに属するＵＥは、ＵＥ１４０３だけであるので、ＵＥ１４０３が受信しないＳＳおよびＰＢＣＨの送信は無駄になるという課題が発生する。
【０１００】
非特許文献８に開示された方法のもうひとつの課題を以下に述べる。ＵＥのページング判定の実現手段としては、ＰＯにおいて、ＲＳの受信信号強度を基準として、呼び出し信号であるページング信号の強度を閾値判定して、ページングの有無を推定する実装が考えられる。ここで、拡張セルＤＴＸを行っている基地局は、ページングがない場合、ＰＯにおいてＲＳすら送信しない。したがって、先に述べた実現手段でＰＯを受信するＵＥは、ページングの有無を誤判定する確率が増加し、無駄な動作時間が増える。これによって、ＵＥの消費電力が増加するという課題が発生するおそれがある。
【０１０１】
実施の形態１での解決策を以下に示す。本実施の形態では、ローカルｅＮＢにて消費電力の低減をサポートする。消費電力の低減をサポートするための実現方法の具体例を、以下に示す。図１４の状況において、非特許文献８で開示される拡張セルＤＴＸよりも、さらに送信ＯＦＦの割合を大きくし、ローカルｅＮＢの消費電力の低減を図る方法を開示する。
【０１０２】
図１４の状況における、ローカルｅＮＢの動作例を図１５に示す。図１５は、実施の形態１の解決策を用いた基地局送信信号の例を説明するタイミングチャートである。図１５において、ローカルｅＮＢのカバレッジ内、すなわちセル圏内のＵＥは、ＩＤＬＥモード、すなわち待ち受け状態であり、ＤＲＸ周期（１秒〜５秒程度）でローカルｅＮＢの下り信号１５０２の中でページングフレーム（Paging Frame：ＰＦ）１５０３の無線フレームに含まれるＰＯ１５０４を受信する。本実施の形態では、ローカルｅＮＢは、送信ＯＮ信号１５０１が送出されたタイミングで、ＰＯ１５０４だけを送信する。ローカルｅＮＢの送信ＯＮ信号１５０１は、ＤＲＸ周期（１秒〜５秒程度）で、ＰＯ１５０４のサブフレーム（１ｍｓ程度）の期間のみＯＮする、すなわち送出される。これによって、非特許文献８に開示された拡張セルＤＴＸよりも大幅に送信時間の割合を小さくすることができる。ＤＲＸ周期は、第２の送信周期に相当する。
【０１０３】
また、図１５に示すようにローカルｅＮＢは、ＰＯ１５０４において、ＰＤＳＣＨとそれに付随するＰＤＣＣＨ、ＲＳを送信する。ページング情報がない場合は、ＰＤＳＣＨを送信する必要はないので、ＲＳのみを送信する。待ち受け状態でＰＯ１５０４を受信するＵＥは、ＰＯ１５０４のタイミングで常にＲＳを受信することができるので、以下の３つの性能における優位性を持つことができる。
【０１０４】
（１）ローカルｅＮＢの受信レベルＲＳＲＰを監視することができる。ＵＥは、他のｅＮＢ、ローカルｅＮＢのＲＳＲＰも監視して、セル再選択の判断に用いる。
【０１０５】
（２）チャネル推定を行う。さらに、チャネル推定値の時間変動から、受信信号とＵＥ基準クロックとの周波数偏差を推定する。周波数偏差推定値は、ＡＦＣ（Automatic Frequency Control）のトラッキングに用いることができる。
【０１０６】
（３）ＲＳの受信信号強度をリファレンスとして、ページング信号の有無を精度良く判定することができる。
【０１０７】
図１５における送信ＯＮの時間は、ＰＯ１５０４のサブフレーム期間としてもよいし、ＰＯ１５０４の中に送信するＰＤＣＣＨ、ＰＤＳＣＨがある期間としてもよいし、ＰＦ１５０３の無線フレーム期間としてもよい。このとき、送信するＰＤＣＣＨ、ＰＤＳＣＨがない期間では、ＲＳ、またはＲＳとＰＢＣＨを送信する。ここで、上述の送信ＯＮの時間を、呼び出し期間と定義する。すなわち呼び出し期間は、例えばＰＯのサブフレーム期間、ＰＯのサブフレーム期間のうちのＰＤＣＣＨ、ＰＤＳＣＨがある期間、またはＰＦの無線フレーム期間である。
【０１０８】
以上のように本実施の形態１によれば、ＵＥが待ち受け状態であるとき、ローカルｅＮＢは、ページング信号を送信するべき期間として予め定める期間である呼び出し期間に、ページング信号およびＲＳのうち、少なくともＲＳを送信する間欠送信動作を行う。これによってＵＥは、呼び出し期間にＲＳを受信することができるので、ＲＳを用いて、ローカルｅＮＢから送信される信号の受信レベルを求め、ページング信号の有無の判定などに用いることができる。またローカルｅＮＢは、呼び出し期間以外の期間には、例えば送信動作を停止して、送信電力を抑制することができるので、消費電力を低減することができる。したがって、待ち受け状態のＵＥが存在する場合でも、ネットワークノードであるローカルｅＮＢにおける低消費電力化を効率良く行うことができる。
【０１０９】
図１６は、実施の形態１の解決策を説明するロケーション図である。図１６および前述の図１４から、ローカルｅＮＢとＵＥとの関係は、以下の３種類が考えられる。
【０１１０】
（１）図１４のロケーション図に示すように、ＵＥ１４０３がローカルｅＮＢ１４０１のカバレッジ１４０２内にあり、ＩＤＬＥモードで待ち受けている状態
（２）図１６のロケーション図に示すように、ＵＥ１６０３がローカルｅＮＢ１６０１のカバレッジ１６０２内にあり、ＣＯＮＮＥＣＴＥＤモードで通信している状態
（３）ＵＥがローカルｅＮＢのカバレッジの外にいる状態（圏外）。
【０１１１】
上記に示すローカルｅＮＢとＵＥとの関係は、ＵＥの移動やサービスの状況により、刻一刻と変化するものであり、ローカルｅＮＢは状況に応じて送信方法を変える必要があるという課題がある。以下に、この課題を解決するための方法について開示する。
【０１１２】
図１７は、実施の形態１の解決策を説明する状態遷移図である。図１７では、前述の図９に示す基地局７２の送信状態判定部９１３において判定される送信状態の遷移図を示す。実施の形態１のローカルｅＮＢである基地局７２は、図９に示す送信状態判定部９１３において、送信状態を、通常送信１７０１、拡張セルＤＴＸ１７０２、およびＤＲＸ周期のセルＤＴＸ１７０３のうちのいずれの状態にするかを判定する。つまり、基地局７２は、送信状態判定部９１３において、送信状態を、図１７に示すように通常送信１７０１、拡張セルＤＴＸ１７０２、およびＤＲＸ周期のセルＤＴＸ１７０３のうちのいずれかの状態に切り替える。通常送信１７０１の状態で、ローカルｅＮＢは通常の送信を行う。拡張セルＤＴＸ１７０２の状態で、ローカルｅＮＢは非特許文献８に開示された拡張セルＤＴＸの送信を行う。ＤＲＸ周期のセルＤＴＸ１７０３の状態で、ローカルｅＮＢは実施の形態１に開示されるＤＲＸ周期のＰＯ（ＲＳ、ＰＤＣＣＨ、ＰＤＳＣＨ）送信を行う。このようにしてローカルｅＮＢは、間欠送信動作を行う。
【０１１３】
図１８は、実施の形態１の解決策を説明する状態遷移図である。図１８では、前述の図９に示す基地局７２のＵＥ状態監視部９１２において判定されるＵＥの状態の遷移図を示す。実施の形態１のローカルｅＮＢである基地局７２は、図９に示すＵＥ状態監視部９１２において、プロトコル処理部９０３からの情報により、ローカルｅＮＢのＣＳＧに登録されるＵＥの状態を監視して、図１８に示すように、ＣＯＮＮＥＣＴＥＤモード１８０１、セル圏外、すなわちカバレッジ外１８０２、およびＩＤＬＥモード１８０３のうちのいずれの状態であるかを判定する。以下、ＣＳＧに登録されるＵＥが１つの場合の動作例について説明する。ローカルｅＮＢは、図９のＵＥ状態監視部９１２で判定した該ＵＥの状態により、図９の送信状態判定部９１３において、送信状態を以下のように決定する。
【０１１４】
（１）ＣＯＮＮＥＣＴＥＤモードと判定した場合、通常送信とする
（２）セル圏外と判定した場合、拡張セルＤＴＸとする
（３）ＩＤＬＥモードと判定した場合、ＤＲＸ周期のセルＤＴＸとする。
【０１１５】
実施の形態１におけるＵＥ状態監視部９１２でのＵＥ状態の判断の方法を以下に開示する。
【０１１６】
ＵＥが電源をＯＮされてからＩＤＬＥモードへ変化するときのローカルｅＮＢでの判定方法を開示する。図１９は、実施の形態１の解決策を用いた場合の移動体通信システムのシーケンス例を説明する図である。図１９では、ＵＥが電源をＯＮ、すなわち電源を投入されてから、ローカルｅＮＢのセルで待ち受け状態になるまでのシーケンスを示している。つまり図１９は、図１８において参照符号１８０４の矢符で表す状態遷移の一例を示している。
【０１１７】
ＵＥが電源をＯＮされると、ステップＳＴ１９０１において、ＵＥは初期のセルの選択を行う。ＵＥは、例えば受信品質が最良のセルを選択する。本動作例では、ローカルｅＮＢを選択したとする。ステップＳＴ１９０２において、ＵＥは、ステップＳＴ１９０１にて選択したローカルｅＮＢのシステム情報を受信する。これによってＵＥは、システム情報の内容により、ローカルｅＮＢへランダムアクセスするパラメータを知ることができる（３ＧＰＰ  ＴＳ３６．３３１  Ｖ９．１．０（以下「非特許文献９」という）参照）。
【０１１８】
ステップＳＴ１９０３において、ＵＥは、ローカルｅＮＢに対してＰＲＡＣＨ送信を行う。ステップＳＴ１９０２で取得したシステム情報には、ローカルｅＮＢのＣＳＧ−ＩＤが含まれる（非特許文献９）ので、ステップＳＴ１９０３において、ＵＥは、選択したローカルｅＮＢのＣＳＧ−ＩＤがＵＥ内のホワイトリストに存在した場合にＰＲＡＣＨ送信を行うようにしてもよい。
【０１１９】
ローカルｅＮＢは、ＵＥから送信されるＰＲＡＣＨを受信すると、ステップＳＴ１９０４において、通常送信を開始する。またＵＥは、前述のようにしてステップＳＴ１９０３でＰＲＡＣＨ送信を行うと、ステップＳＴ１９０５において、ＣＯＮＮＥＣＴＥＤモードとなる。
【０１２０】
ステップＳＴ１９０６およびステップＳＴ１９０７において、ローカルｅＮＢおよびＵＥは、個別チャネル回線を設定する。具体的に述べると、まずステップＳＴ１９０６において、ローカルｅＮＢは、個別チャネル回線の設定を指示するラジオベアラセットアップ（Radio Bearer Setup）メッセージをＵＥに送信する。ＵＥは、ローカルｅＮＢから送信されたラジオベアラセットアップメッセージを受信すると、ステップＳＴ１９０７において、個別チャネル回線を設定する処理を行い、ラジオベアラセットアップコンプリート（Radio Bearer Setup Complete）メッセージをローカルｅＮＢに送信する。したがって、ローカルｅＮＢは、ステップＳＴ１９０６の処理の前に、ＵＥと個別チャネルの通信を開始するために、ステップＳＴ１９０４で通常送信を開始する。またＵＥは、ステップＳＴ１９０５において、ＣＯＮＮＥＣＴＥＤモード（ＲＲＣ＿ＣＯＮＮＥＣＴＥＤモードとも称される）となる。
【０１２１】
ＵＥは、ステップＳＴ１９０６およびステップＳＴ１９０７で個別チャネル回線が確立すると、ステップＳＴ１９０８において、ローカルｅＮＢを通して、ＭＭＥまたはＨｅＮＢＧＷへＡｔｔａｃｈ要求（Attach Request）を送信する。ステップＳＴ１９０９において、ＭＭＥまたはＨｅＮＢＧＷは、ローカルｅＮＢを通して、ＵＥへＡｔｔａｃｈ了承（Attach Accept）を通知する。Ａｔｔａｃｈ了承を受信したＵＥは、ステップＳＴ１９１０において、Ａｔｔａｃｈ完了（Attach Complete）を、ローカルｅＮＢを通してＭＭＥへ通知する。これによって、Ａｔｔａｃｈ成功となる（３ＧＰＰ  ＴＳ２３．４０１  Ｖ９．４．０（以下「非特許文献１０」という）参照）。
【０１２２】
そして、ステップＳＴ１９１１およびステップＳＴ１９１２の処理で、ローカルｅＮＢおよびＵＥは、個別チャネル回線を開放する。具体的に述べると、ステップＳＴ１９１１において、ローカルｅＮＢは、ラジオベアラリリース（Radio Bearer Release）メッセージをＵＥに送信する。ＵＥは、ローカルｅＮＢから送信されたラジオベアラリリースメッセージを受信すると、ステップＳＴ１９１２において、個別チャネル回線を開放する処理を行い、ラジオベアラリリースコンプリート（Radio Bearer Release Complete）メッセージをローカルｅＮＢに送信する。
【０１２３】
ローカルｅＮＢは、ＵＥから送信されたラジオベアラリリースコンプリートメッセージを受信すると、ステップＳＴ１９１３において、ＤＲＸ周期のセルＤＴＸを開始する。またＵＥは、前述のようにしてステップＳＴ１９１２でラジオベアラリリースコンプリートメッセージを送信すると、ステップＳＴ１９１４において、ＩＤＬＥモードとなり、ローカルｅＮＢのセルで待ち受けを行う。
【０１２４】
図１９のシーケンスで、ローカルｅＮＢが、ＵＥがローカルｅＮＢのセル圏内、すなわちカバレッジ内に存在し、ＩＤＬＥモードであることを判定する方法の具体例を、以下に２つ開示する。
【０１２５】
（１）ＭＭＥあるいはＨｅＮＢＧＷから、Ａｔｔａｃｈ了承を受信
（２）ＵＥからＡｔｔａｃｈ完了を受信。
【０１２６】
ＵＥがローカルｅＮＢのセル圏外または他のｅＮＢのセルから、ローカルｅＮＢのセル圏内へ移動して、ローカルｅＮＢで待ち受けをするときのローカルｅＮＢでの判定方法を開示する。図２０は、実施の形態１の解決策を用いた場合の移動体通信システムのシーケンス例を説明する図である。図２０では、ＵＥがセル再選択でローカルｅＮＢを選択して、ローカルｅＮＢのセルで待ち受け状態になるまでのシーケンスを示している。つまり図２０は、図１８において参照符号１８０４の矢符で表す状態遷移の一例を示している。
【０１２７】
ステップＳＴ２００１において、ＵＥはセルの再選択を行う。例えばＵＥは、受信品質が最良のセルを選択する。本動作例では、ローカルｅＮＢを選択したとする。ステップＳＴ２００２において、ローカルｅＮＢは、報知情報をＵＥに送信する。これによってＵＥは、ステップＳＴ２００１にて選択したローカルｅＮＢのシステム情報を受信する。ＵＥは、システム情報の内容により、ローカルｅＮＢへランダムアクセスするパラメータ、トラッキングエリアコード（ＴＡＣ）、ローカルｅＮＢのＣＳＧ−ＩＤを知ることができる。
【０１２８】
従来の技術においては、ＵＥが登録済みのＴＡＩ（Tracking Area Identity）のリストに無い新しいトラッキングエリアに入ったときにＴＡＵを行う（非特許文献１０参照）。従来の技術においては、例えばステップＳＴ２００１にてセル選択する前のセルと、ステップＳＴ２００１にてセル選択した後のセル、つまりローカルｅＮＢとが同じトラッキングエリアに属する場合は、ＵＥはＴＡＵを行わない。よって、ローカルｅＮＢは、ＵＥがセル圏外または他のｅＮＢのセルから、セル圏内へ移動したことを検出できないという課題が発生する。
【０１２９】
そこで本実施の形態では、ステップＳＴ２００２でシステム情報を受信したＵＥは、ステップＳＴ２０２１において、セル選択したセル（以下「選択セル」という場合がある）がローカルｅＮＢであるか否かを判断し、ローカルｅＮＢであればステップＳＴ２００３に移行し、該ローカルｅＮＢのトラッキングエリアと無関係にＴＡＵを行うこととする。この処理により、ローカルｅＮＢは、ＵＥがセル圏外または他のｅＮＢのセルからセル圏内へ移動したことを検出可能となる。ＵＥは、ステップＳＴ２０２１において、選択セルがローカルｅＮＢではないと判断すると、ステップＳＴ２０２２に移行する。ステップＳＴ２０２２において、ＵＥは、ＴＡがＴＡＩリスト（list）に含まれるか否かを判断し、含まれていない場合はステップＳＴ２００３に移行し、含まれている場合は処理を終了する。
【０１３０】
ステップＳＴ２０２１における選択セルがローカルｅＮＢであるか否かの判断の具体例を、以下に開示する。システム情報中に、選択セルがローカルｅＮＢであるか否かを示すインジケータを新設する。システム情報に含まれる該インジケータが、選択セルがローカルｅＮＢであることを示していた場合、ＵＥは、選択セルはローカルｅＮＢと判断し、該インジケータが、選択セルがローカルｅＮＢであることを示していない場合、ＵＥは、選択セルはローカルｅＮＢではないと判断する。
【０１３１】
または、選択セルがＨｅＮＢであれば、該ローカルｅＮＢのトラッキングエリアと無関係にＴＡＵを行うこととしてもよい。
【０１３２】
選択セルがＨｅＮＢであるか否かの判断の具体例を、以下に３つ開示する。
【０１３３】
（１）システム情報に含まれる、ＣＳＧ−ＩＤを用いる。ＵＥは、例えばＣＳＧ−ＩＤが含まれていれば、選択セルはＨｅＮＢと判断し、ＣＳＧ−ＩＤが含まれていなければ、選択セルはＨｅＮＢではないと判断する。
【０１３４】
（２）システム情報に含まれるcsg-Indicationを用いる。ＵＥは、例えばcsg-Indicationが「TRUE」であれば、選択セルはＨｅＮＢと判断し、csg-Indicationが「TRUE」でなければ、選択セルはＨｅＮＢではないと判断する。
【０１３５】
（３）システム情報に含まれる、hnb-Nameを用いる。ＵＥは、例えばhnb-Nameが含まれていれば、選択セルはＨｅＮＢと判断し、hnb-Nameが含まれていなければ、選択セルはＨｅＮＢではないと判断する。
【０１３６】
ステップＳＴ２００３において、ＵＥはローカルｅＮＢに対してＰＲＡＣＨ送信を行う。前述のステップＳＴ２００２で受信したシステム情報には、ローカルｅＮＢのＣＳＧ−ＩＤが含まれるので、ステップＳＴ２００３においてＵＥは、選択したローカルｅＮＢのＣＳＧ−ＩＤがＵＥ内のホワイトリストに存在した場合にＰＲＡＣＨ送信を行うようにしてもよい。
【０１３７】
ローカルｅＮＢは、該ＰＲＡＣＨをＣＳＧに属するＵＥからのものであると判断すると、アクセスを許可し、ステップＳＴ２００６およびステップＳＴ２００７の処理で個別チャネル回線を設定する。具体的に述べると、まずステップＳＴ２００６において、ローカルｅＮＢは、個別チャネル回線の設定を指示するラジオベアラセットアップメッセージをＵＥに送信する。ＵＥは、ローカルｅＮＢから送信されたラジオベアラセットアップメッセージを受信すると、ステップＳＴ２００７において、個別チャネル回線を設定する処理を行い、ラジオベアラセットアップコンプリートメッセージをローカルｅＮＢに送信する。
【０１３８】
したがって、ローカルｅＮＢは、ステップＳＴ２００６の処理の前に、ＵＥと個別チャネルの通信を開始するために、ステップＳＴ２００４で通常送信を開始する。またＵＥは、ステップＳＴ２００５において、ＣＯＮＮＥＣＴＥＤモード（ＲＲＣ＿ＣＯＮＮＥＣＴＥＤとも称される）となる。
【０１３９】
ＵＥは、ステップＳＴ２００６およびステップＳＴ２００７の処理で個別チャネル回線が確立すると、ステップＳＴ２００８において、ローカルｅＮＢを通して、ＭＭＥまたはＨｅＮＢＧＷへＴＡ  Ｕｐｄａｔｅ（ＴＡＵ）を実行する。ステップＳＴ２００８でＴＡ  Ｕｐｄａｔｅを受信したＭＭＥまたはＨｅＮＢＧＷは、ステップＳＴ２００９において、ローカルｅＮＢを通して、ＵＥへＴＡ  Ｕｐｄａｔｅ  Ａｃｃｅｐｔを送信する。ステップＳＴ２００９でＴＡ  Ｕｐｄａｔｅ  Ａｃｃｅｐｔを受信したＵＥは、ステップＳＴ２０１０において、ローカルｅＮＢを通して、ＭＭＥまたはＨｅＮＢＧＷへＴＡ  Ｕｐｄａｔｅ  Ｃｏｍｐｌｅｔｅを送信する。これによって、ＴＡＵ成功となる。
【０１４０】
そして、ステップＳＴ２０１１およびステップＳＴ２０１２の処理で、ローカルｅＮＢおよびＵＥは、個別チャネル回線を開放する。具体的に述べると、ステップＳＴ２０１１において、ローカルｅＮＢは、ラジオベアラリリースメッセージをＵＥに送信する。ＵＥは、ローカルｅＮＢから送信されたラジオベアラリリースメッセージを受信すると、ステップＳＴ２０１２において、個別チャネル回線を開放する処理を行い、ラジオベアラリリースコンプリートメッセージをローカルｅＮＢに送信する。以上のステップＳＴ２００３〜ステップＳＴ２０１２の処理を「ＴＡ  Ｕｐｄａｔｅシーケンス」という。
【０１４１】
以上のようにしてＴＡ  Ｕｐｄａｔｅシーケンスを実行すると、ローカルｅＮＢは、ステップＳＴ２０１３において、ＤＲＸ周期のセルＤＴＸを開始する。ＵＥは、ステップＳＴ２０１４においてＩＤＬＥモードとなり、ローカルｅＮＢのセルで待ち受けを行う。
【０１４２】
図２０のシーケンスで、ローカルｅＮＢが、ＵＥがローカルｅＮＢのセル圏内に存在し、ＩＤＬＥモードであることを判定する方法の具体例を、以下に２つ開示する。
【０１４３】
（１）ＭＭＥあるいはＨｅＮＢＧＷから、ＴＡ  Ｕｐｄａｔｅ  Ａｃｃｅｐｔを受信
（２）ＵＥからＴＡ  Ｕｐｄａｔｅ  Ｃｏｍｐｌｅｔｅを受信。
【０１４４】
ＵＥがローカルｅＮＢのセル圏内からセル圏外、具体的にはサービス圏外または他のｅＮＢのセルへ移動して、ローカルｅＮＢで待ち受けをしなくなるときのローカルｅＮＢでの判定方法を開示する。図２１は、実施の形態１の解決策を用いた場合の移動体通信システムのシーケンス例を説明する図である。図２１では、ＵＥが周期的にＴＡＵを送信するシーケンスを示している。つまり図２１は、図１８において参照符号１８０５の矢符で表す状態遷移の一例を示している。
【０１４５】
前述の図１９に示すシーケンス、または図２０に示すシーケンスを実行して、ステップＳＴ２１０１でＵＥがＩＤＬＥモードとなり、ステップＳＴ２１１１でローカルｅＮＢがＤＲＸ周期のセルＤＴＸを開始した後は、ステップＳＴ２１０２において、前述の図２０に示すＴＡ  Ｕｐｄａｔｅシーケンスを実行する。その後は、予め定めるＴＡ  Ｕｐｄａｔｅ周期で、ステップＳＴ２１０２のＴＡ  Ｕｐｄａｔｅシーケンスを繰返す。この周期的なＴＡＵにより、ローカルｅＮＢは、ＵＥがセル圏内からセル圏外へ移動したことを認識可能となる。ローカルｅＮＢは、傘下のＵＥに対して、周期的なＴＡＵを指示するとしてもよい。ＨｅＮＢは、傘下のＵＥに対して、周期的なＴＡＵを指示するとしてもよい。ＨｅＮＢは、自セルと同じＣＳＧへ登録するＵＥに対して、周期的なＴＡＵを指示するとしてもよい。またＤＲＸ周期のセルＤＴＸをサポートするｅＮＢは、傘下のＵＥに対して、周期的なＴＡＵを指示するとしてもよい。
【０１４６】
ＵＥは、ステップＳＴ２１０３においてセルの再選択を行い、このセルの再選択で他のｅＮＢを最良のセルと判断すると、該ローカルｅＮＢへ周期的なＴＡＵを送信しなくなる。他のｅＮＢは、ステップＳＴ２１１２において、報知情報をＵＥに送信する。ＵＥは、他のｅＮＢから送信された報知情報を受信すると、ステップＳＴ２１０４において、他のｅＮＢとの間で、前述の図２０に示すＴＡ  Ｕｐｄａｔｅシーケンスを実行する。
【０１４７】
ローカルｅＮＢは、次のＴＡ  Ｕｐｄａｔｅ周期で、ステップＳＴ２１１３において、ＵＥからＴＡ  Ｕｐｄａｔｅを受信したか否かを判定する。図２１に示す例では、ローカルｅＮＢは、ステップＳＴ２１１３において、ＴＡ  Ｕｐｄａｔｅを受信していないと判定して、ステップＳＴ２１１４に移行する。ステップＳＴ２１１４において、ローカルｅＮＢは、拡張セルＤＴＸを開始する。
【０１４８】
図２１のシーケンスで、ローカルｅＮＢが、ローカルｅＮＢのセル圏内で待ち受けていた該ＵＥがセル圏外に移動したと判定する場合を、以下に開示する。
【０１４９】
前述の図９に示すＵＥ状態監視部９１２においてＩＤＬＥモードと判断しているＵＥと最後に個別チャネル回線を確立し、正常に開放してからＴＡＵ周期以上の時間が経過している場合。前述の図９に示すＵＥ状態監視部９１２においてＩＤＬＥモードと判断しているＵＥからＴＡＵ周期にて、ＴＡＵが実行されない場合。
【０１５０】
ＵＥがローカルｅＮＢのセル圏内で待ち受け状態から発信するときのローカルｅＮＢでのＵＥ状態判定方法を開示する。図２２は、実施の形態１の解決策を用いた場合の移動体通信システムのシーケンス例を説明する図である。図２２では、ＵＥがローカルｅＮＢのセル圏内で待ち受けをしている状態から、発信によりＣＯＮＮＥＣＴＥＤモードになるまでのシーケンスを示している。つまり図２２は、図１８において参照符号１８０６の矢符で表す状態遷移の一例を示している。
【０１５１】
ステップＳＴ２２０１において、ＵＥはＩＤＬＥモードとなり、ローカルｅＮＢのセルで待ち受けを行っている状態となる。ステップＳＴ２２０２において、ＵＥは、発信操作を行う。ステップＳＴ２２０３において、ＵＥは、ローカルｅＮＢへランダムアクセス（Random Access）を要求する。ランダムアクセスの要求を行ったＵＥは、ステップＳＴ２２０５において、ＣＯＮＮＥＣＴＥＤモードとなる。
【０１５２】
ローカルｅＮＢは、要求されたランダムアクセスが、ＣＳＧに属するＵＥからのものであると判断すると、アクセスを許可し、ステップＳＴ２２０６およびステップＳＴ２２０７の処理で個別チャネル回線を設定する。具体的に述べると、ステップＳＴ２２０６において、ローカルｅＮＢはラジオベアラセットアップメッセージをＵＥに送信する。ＵＥは、ローカルｅＮＢから送信されたラジオベアラセットアップメッセージを受信すると、ステップＳＴ２２０７において、個別チャネル回線を設定する処理を行い、ラジオベアラセットアップコンプリートメッセージをローカルｅＮＢに送信する。
【０１５３】
したがって、ローカルｅＮＢは、ステップＳＴ２２０６の処理の前に、ＵＥと個別チャネルの通信を開始するために、ステップＳＴ２２０４で通常送信を開始する。ステップＳＴ２２０７の処理後は、ＭＭＥまたはＨｅＮＢ−ＧＷと、ローカルｅＮＢおよびＵＥとの間で、ユーザデータの送受信が行われる。
【０１５４】
図２２のシーケンスで、ローカルｅＮＢが、ローカルｅＮＢのセル圏内で待ち受けていたＵＥがＣＯＮＮＥＣＴＥＤモードに変化したことを判定する方法の具体例を、以下に２つ開示する。
【０１５５】
（１）ＵＥ状態監視部９１２においてＩＤＬＥモードと判断しているＵＥからのランダムアクセスの要求を許可する
（２）ＵＥ状態監視部９１２においてＩＤＬＥモードと判断しているＵＥとの間で個別チャネル回線設定を決定する。
【０１５６】
ＵＥがローカルｅＮＢのセル圏内において待ち受け状態で着信するときの、ローカルｅＮＢでのＵＥ状態判定方法を開示する。図２３は、実施の形態１の解決策を用いた場合の移動体通信システムのシーケンス例を説明する図である。図２３では、ＵＥがローカルｅＮＢのセル圏内で待ち受け状態から、着信によりＣＯＮＮＥＣＴＥＤモードになるまでのシーケンスを示している。つまり図２３は、図１８において参照符号１８０６の矢符で表す状態遷移の一例を示している。
【０１５７】
ステップＳＴ２３０１において、ＵＥはＩＤＬＥモードとなり、ローカルｅＮＢのセルで待ち受けを行っている状態となる。ステップＳＴ２３０２において、ＭＭＥまたはＨｅＮＢＧＷは、ＵＥに対する呼び出し（以下「ＵＥ呼び出し」という場合がある）をローカルｅＮＢに送信する。ローカルｅＮＢは、ＭＭＥまたはＨｅＮＢＧＷから送信されたＵＥへのＵＥ呼び出しを受信すると、ステップＳＴ２３０３において、ページング（Paging）情報をＵＥに送信する。
【０１５８】
ＵＥは、ローカルｅＮＢから送信されたページング情報を受信すると、ステップＳＴ２３０４において、Ｐａｇｉｎｇ情報判定を行う。ＵＥは、ステップＳＴ２３０４のＰａｇｉｎｇ情報判定処理において、自装置への呼び出しであると判定すると、ステップＳＴ２３０５において、ローカルｅＮＢへランダムアクセスを要求する。ランダムアクセスの要求を行ったＵＥは、ステップＳＴ２３０７において、ＣＯＮＮＥＣＴＥＤモードとなる。
【０１５９】
ローカルｅＮＢは、要求されたランダムアクセスが、ＣＳＧに属するＵＥからのものであると判断すると、アクセスを許可し、ステップＳＴ２３０８およびステップＳＴ２３０９の処理で個別チャネル回線を設定する。具体的に述べると、ステップＳＴ２３０８において、ローカルｅＮＢはラジオベアラセットアップメッセージをＵＥに送信する。ＵＥは、ローカルｅＮＢから送信されたラジオベアラセットアップメッセージを受信すると、ステップＳＴ２３０９において、個別チャネル回線を設定する処理を行い、ラジオベアラセットアップコンプリートメッセージをローカルｅＮＢに送信する。
【０１６０】
したがって、ローカルｅＮＢは、ステップＳＴ２３０８の処理の前に、ＵＥと個別チャネルの通信を開始するために、ステップＳＴ２３０６で通常送信を開始する。ステップＳＴ２３０９の処理後は、ＭＭＥまたはＨｅＮＢ−ＧＷと、ローカルｅＮＢおよびＵＥとの間で、ユーザデータの送受信が行われる。
【０１６１】
図２３のシーケンスで、ローカルｅＮＢが、ローカルｅＮＢのセル圏内で待ち受けていたＵＥがＣＯＮＮＥＣＴＥＤモードに変化したことを判定する方法の具体例を、以下に２つ開示する。
【０１６２】
（１）ＵＥ状態監視部９１２においてＩＤＬＥモードと判断しているＵＥからのランダムアクセスの要求を許可する
（２）ＵＥ状態監視部９１２においてＩＤＬＥモードと判断しているＵＥとの間で個別チャネル回線設定を決定する。
【０１６３】
ＵＥがローカルｅＮＢとの通信を切断（開放）するときの、ローカルｅＮＢでのＵＥ状態判定方法を開示する。図２４は、実施の形態１の解決策を用いた場合の移動体通信システムのシーケンス例を説明する図である。図２４では、ＵＥがＣＯＮＮＥＣＴＥＤモードでローカルｅＮＢと通信している状態から、通信を切断してＩＤＬＥモードになるまでのシーケンスを示している。つまり図２４は、図１８において参照符号１８０７の矢符で表す状態遷移の一例を示している。
【０１６４】
ステップＳＴ２４０１において、ＵＥは、ＣＯＮＮＥＣＴＥＤモードとなり、ローカルｅＮＢと通信している状態となる。この状態で、ＭＭＥまたはＨｅＮＢ−ＧＷと、ローカルｅＮＢおよびＵＥとの間で、ユーザデータの送受信が行われる。
【０１６５】
ＵＥからローカルｅＮＢとの通信を切断する場合、ＵＥは、ステップＳＴ２４０２において、リリースリクエスト（Release Request）メッセージをローカルｅＮＢに送信する。リリースリクエストメッセージへの応答として、ローカルｅＮＢは、ステップＳＴ２４０３において、ラジオベアラリリースメッセージをＵＥに送信する。図２４に示す例とは異なるが、ネットワークから通信を切断する場合、ローカルｅＮＢは、ネットワークからの指示に基づいて、ステップＳＴ２４０３において、ラジオベアラリリースメッセージをＵＥに送信する。
【０１６６】
ラジオベアラリリースメッセージを受信したＵＥは、ラジオベアラリリースメッセージに対する応答として、ステップＳＴ２４０４において、ラジオベアラリリースコンプリートメッセージをローカルｅＮＢに送信する。このステップＳＴ２４０４の処理により、ローカルｅＮＢ、ＵＥともに個別チャネル回線を開放し、ＵＥは、ステップＳＴ２４０６において、ローカルｅＮＢのセル圏内でＩＤＬＥモードとなる。またローカルｅＮＢは、ステップＳＴ２４０５において、ＤＲＸ周期のセルＤＴＸを開始する。
【０１６７】
図２４のシーケンスで、ローカルｅＮＢが、ローカルｅＮＢと通信しているＵＥがＩＤＬＥモードに変化したことを判定する方法を、以下に開示する。
【０１６８】
（１）ＵＥ状態監視部９１２においてＣＯＮＮＥＣＴＥＤモードと判断しているＵＥへラジオベアラリリースメッセージを送信する、または、（２）該ＵＥからラジオベアラリリースコンプリートメッセージを受信する。
【０１６９】
実施の形態１の変形例１．
図２５は、実施の形態１の変形例１の課題を説明するロケーション図である。ローカルｅＮＢは、図２５に示すように、複数のローカルｅＮＢ、例えば３つのローカルｅＮＢ（Ｌｏｃａｌ−ｅＮＢ）２５２−１，２５２−２，２５２−３が１つのトラッキングエリア（ＴＡ）２５３を構成することがある。ここで便宜的に、図２５に示す３つのローカルｅＮＢを、第１ローカルｅＮＢ２５２−１、第２ローカルｅＮＢ２５２−２および第３ローカルｅＮＢ２５２−３と呼ぶこととする。
【０１７０】
ＴＡ２５３の管理はＭＭＥ／Ｓ−ＧＷ部２５５が行うので、ＵＥは、ＴＡ圏外からＴＡ圏内に移動する場合、ローカルｅＮＢ２５２−１，２５２−２，２５２−３の１つを通して、ＭＭＥ／Ｓ−ＧＷ部２５５に対してＴＡＵを行う。例えば、第１ローカルｅＮＢ２５２−１を通してＴＡＵを行った場合、第１ローカルｅＮＢ２５２−１は、ＵＥ２５１がＩＤＬＥモードで待ち受けていることを知ることができるが、第２および第３ローカルｅＮＢ２５２−２，２５２−３は、ＵＥ２５１がＩＤＬＥモードであることを知ることができない。
【０１７１】
また、ＵＥ２５１がＴＡ２５３内でセルの再選択を行っても、ＵＥ２５１は、再選択したローカルｅＮＢへＴＡＵを送信しない。したがって、例えば、ＵＥ２５１が第２ローカルｅＮＢ２５２−２をセルの再選択で選択して待ち受けをしても、第２ローカルｅＮＢ２５２−２は、実施の形態１で開示したＤＲＸ周期のセルＤＴＸを行うことができないという課題が発生する。
【０１７２】
以下に、実施の形態１の変形例１の課題を解決する方法について説明する。図２５のＭＭＥ／Ｓ−ＧＷ部２５５は、ＴＡ２５３内にＣＳＧに属するＵＥ２５１が在圏することを知ると、規格として傘下の同じＴＡに属する複数のローカルｅＮＢ、図２５では第１〜第３ローカルｅＮＢ２５２−１，２５２−２，２５２−３に対して、ＵＥ２５１がＴＡ２５３に在圏していること（以下「ＴＡ在圏」という場合がある）を通知することとする。同様に、ＭＭＥ／Ｓ−ＧＷ部２５５は、ＣＳＧに属するＵＥ２５１がＴＡ２５３の圏外であることを知ると、規格として、同じＴＡに属する傘下の複数のローカルｅＮＢ、図２５では第１〜第３ローカルｅＮＢ２５２−１，２５２−２，２５２−３に対して、ＵＥ２５１のＴＡの圏外であること（以下「ＴＡ圏外」という場合がある）を通知する。ここで、ＴＡ在圏、ＴＡ圏外を通知するのは、ＨｅＮＢＧＷ２５４としてもよい。
【０１７３】
図２５に示すローカルｅＮＢ２５２−１，２５２−２，２５２−３は、ＵＥ２５１のＴＡ在圏、すなわちＵＥ２５１がＴＡ２５３の圏内に存在することを通知され、かつ、ＵＥ２５１が自装置と通信していない場合、ＵＥ２５１に対して実施の形態１で開示したＤＲＸ周期のセルＤＴＸを行う。また図２５に示すローカルｅＮＢ２５２−１，２５２−２，２５２−３は、ＵＥ２５１のＴＡ圏外、すなわちＵＥ２５１がＴＡ圏外に存在すると通知されると、ＵＥ２５１に対して拡張セルＤＴＸを行う。
【０１７４】
図２６は、実施の形態１の変形例１の解決策を説明するロケーション図である。図２６では、複数のローカルｅＮＢ、具体的には３つのローカルｅＮＢ（Ｌｏｃａｌ−ｅＮＢ）２６２−１，２６２−２，２６２−３が１つのトラッキングエリア（ＴＡ）２６３−１を構成し、ワイドエリアのｅＮＢ（以下「ワイドエリアｅＮＢ」という場合がある）２６６が異なるＴＡ２６３−２を構成する例を示している。ローカルｅＮＢ２６２−１，２６２−２，２６２−３で構成されるＴＡ２６３−１を、第１ＴＡ２６３−１と呼び、ワイドエリアｅＮＢで構成されるＴＡ２６３−２を、第２ＴＡ２６３−２と呼ぶこととする。第１ＴＡ２６３−１の管理は、ＨｅＮＢＧＷ２６４または第１ＭＭＥ／Ｓ−ＧＷ部２６５−１が行い、第２ＴＡ２６３−２の管理は第２ＭＭＥ／Ｓ−ＧＷ部２６５−２が行う。
【０１７５】
ＵＥ２６１は、第１ＴＡ２６３−１から第２ＴＡ２６３−２へ移動すると、ワイドエリアｅＮＢ２６６を通して、第１ＭＭＥ／Ｓ−ＧＷ部２６５−１にＴＡＵを行う。３つのローカルｅＮＢ２６２−１，２６２−２，２６２−３は、自装置のＴＡである第１ＴＡ２６３−１に在圏していたＵＥ２６１が、他のＴＡ、例えば第２ＴＡ２６３−２へ移動したことを知ることができれば、それを契機にＵＥ２６１が第１ＴＡ２６３−１の圏外になったと判定することができる。
【０１７６】
以下に具体的な動作例について、シーケンス図を用いて説明する。動作例としては、ＵＥが、ローカルｅＮＢを含むＴＡでＡｔｔａｃｈする場合、ＵＥが他のＴＡからローカルｅＮＢを含むＴＡ内へ移動し、ＴＡＵを行う場合、ＵＥがローカルｅＮＢを含むＴＡでＤｅｔａｃｈする場合、およびＵＥがローカルｅＮＢを含むＴＡから他のＴＡへ移動し、ＴＡＵを行う場合がある。シーケンス図では、理解を容易にするために、ローカルｅＮＢは２つ、具体的には第１ローカルｅＮＢおよび第２ローカルｅＮＢとする。
【０１７７】
ＵＥが電源をＯＮされてからＩＤＬＥモードへ変化するときのローカルｅＮＢでの判定方法を開示する。図２７は、実施の形態１の変形例１の解決策を用いた場合の移動体通信システムのシーケンス例を説明する図である。図２７では、ＵＥが電源をＯＮ、すなわち投入されてから、ローカルｅＮＢのセルで待ち受け状態になるまでのシーケンスを示している。
【０１７８】
ＵＥは、電源をＯＮされると、ステップＳＴ２７０１において、初期のセルの選択を行う。ＵＥは、例えば受信品質が最良のセルを選択する。本動作例では、第１ローカルｅＮＢを選択したとする。ステップＳＴ２７０２において、ＵＥは、ステップＳＴ２７０１にて選択したローカルｅＮＢ、すなわち第１ローカルｅＮＢのシステム情報を受信する。これによってＵＥは、システム情報の内容により、第１ローカルｅＮＢへランダムアクセスするパラメータを知ることができる（非特許文献９参照）。
【０１７９】
ステップＳＴ２７０３において、ＵＥは、ステップＳＴ２７０１で選択したローカルｅＮＢ、すなわち第１ローカルｅＮＢに対してＰＲＡＣＨ送信を行う。ステップＳＴ２７０２で取得したシステム情報には、ローカルｅＮＢのＣＳＧ−ＩＤが含まれる（非特許文献９参照）ので、ステップＳＴ２７０３において、ＵＥは、ステップＳＴ２７０１で選択したローカルｅＮＢのＣＳＧ−ＩＤがＵＥ内のホワイトリストに存在した場合のＰＲＡＣＨ送信を行うようにしてもよい。
【０１８０】
第１ローカルｅＮＢは、ＵＥから送信されるＰＲＡＣＨを受信すると、ステップＳＴ２７０４において、通常送信を開始する。またＵＥは、前述のようにしてステップＳＴ２７０３でＰＲＡＣＨ送信を行うと、ステップＳＴ２７０５において、ＣＯＮＮＥＣＴＥＤモードとなる。
【０１８１】
ステップＳＴ２７０６およびステップＳＴ２７０７において、第１ローカルｅＮＢおよびＵＥは、個別チャネル回線を設定する。具体的に述べると、まずステップＳＴ２７０６において、第１ローカルｅＮＢは、個別チャネル回線の設定を指示するラジオベアラセットアップ（Radio Bearer Setup）メッセージをＵＥに送信する。ＵＥは、第１ローカルｅＮＢから送信されたラジオベアラセットアップメッセージを受信すると、ステップＳＴ２７０７において、個別チャネル回線を設定する処理を行い、ラジオベアラセットアップコンプリート（Radio Bearer Setup Complete）メッセージを第１ローカルｅＮＢに送信する。したがって、第１ローカルｅＮＢは、ステップＳＴ２７０６の処理の前に、ＵＥと個別チャネルの通信を開始するために、ステップＳＴ２７０４で通常送信を開始する。またＵＥは、ステップＳＴ２７０５において、ＣＯＮＮＥＣＴＥＤモード（ＲＲＣ＿ＣＯＮＮＥＣＴＥＤモードとも称される）となる。
【０１８２】
ＵＥは、ステップＳＴ２７０６およびステップＳＴ２７０７で個別チャネル回線が確立すると、ステップＳＴ２７０８において、第１ローカルｅＮＢを通して、ＨｅＮＢＧＷへＡｔｔａｃｈ要求（Attach Request）を送信する。Ａｔｔａｃｈ要求を受信したＨｅＮＢＧＷは、ステップＳＴ２７０９において、第１ローカルｅＮＢを通して、ＵＥへＡｔｔａｃｈ了承（Attach Accept）を通知する。Ａｔｔａｃｈ了承を受信したＵＥは、ステップＳＴ２７０９−１において、Ａｔｔａｃｈ完了（Attach Complete）を、第１ローカルｅＮＢを通してＨｅＮＢＧＷへ通知する。これによって、Ａｔｔａｃｈ成功となる（非特許文献１０参照）。
【０１８３】
そして、ステップＳＴ２７１３およびステップＳＴ２７１４の処理で、第１ローカルｅＮＢおよびＵＥは、個別チャネル回線を開放する。具体的に述べると、ステップＳＴ２７１３において、第１ローカルｅＮＢは、ラジオベアラリリース（Radio Bearer Release）メッセージをＵＥに送信する。ＵＥは、第１ローカルｅＮＢから送信されたラジオベアラリリースメッセージを受信すると、ステップＳＴ２７１４において、個別チャネル回線を開放する処理を行い、ラジオベアラリリースコンプリート（Radio Bearer Release Complete）メッセージを第１ローカルｅＮＢに送信する。このようにしてステップＳＴ２７１４でラジオベアラリリースコンプリートメッセージを送信すると、ステップＳＴ２７１６において、ＵＥは、ＩＤＬＥモードとなり、第１ローカルｅＮＢのセルで待ち受けを行う。
【０１８４】
ＨｅＮＢＧＷ、あるいはＭＭＥは、ステップＳＴ２７０９−１でＡｔｔａｃｈの成功を確認すると、ステップＳＴ２７１０において、配下の第１ローカルｅＮＢへＴＡ在圏通知を送信し、またステップＳＴ２７１１において、第２ローカルｅＮＢへＴＡ在圏通知を送信する。これによって、ＣＳＧに属するＵＥがＴＡに在圏することを第１および第２ローカルｅＮＢに通知する。
【０１８５】
第１ローカルｅＮＢ、第２ローカルｅＮＢは、各々ＴＡ在圏通知がされたＣＳＧに属するＵＥが自装置と通信していなければ、該ＵＥがＩＤＬＥモードで待ち受けをしていると判断して、ステップＳＴ２７１２およびステップＳＴ２７１５において、実施の形態１で開示するＤＲＸ周期のセルＤＴＸを開始する。このように同じＴＡ内の複数のローカルｅＮＢにおいて、ＤＲＸ周期のセルＤＴＸを行うことができる。
【０１８６】
以上のように本変形例１では、複数のローカルｅＮＢが１つのＴＡを構成する場合、換言すれば、１つのＴＡ内に複数のローカルｅＮＢが設けられる場合、ネットワーク制御装置であるＭＭＥまたはＨｅＮＢＧＷは、そのＴＡ内にＵＥが存在するか否かを判断し、その判断結果を各ローカルｅＮＢに通知する。各ローカルｅＮＢは、自身のＴＡ内にＵＥが存在することがＭＭＥまたはＨｅＮＢＧＷから通知されると、そのＵＥと通信しているか否かを判断し、通信していないと判断すると、ＤＲＸ周期のセルＤＴＸを行う。同じＴＡ内の複数のローカルｅＮＢにおいて、ＤＲＸ周期のセルＤＴＸを行うことができる。
【０１８７】
図２７のシーケンスで、ローカルｅＮＢが、ＵＥがローカルｅＮＢのセル圏内に存在し、ＩＤＬＥモードであることを判定する方法を、以下に開示する。
【０１８８】
（１）ＴＡ在圏であり、かつ、（２）個別チャネルを設定していないＵＥはＩＤＬＥモードと判定する。
【０１８９】
図２６に示すように、ＵＥが他のＴＡ２６３−２からローカルｅＮＢを含むＴＡ２６３−１内へ移動し、ＴＡＵを行うときのローカルｅＮＢでの判定方法を開示する。図２８は、実施の形態１の変形例１の解決策を用いた場合の移動体通信システムのシーケンス例を説明する図である。図２８では、他のＴＡ２６３−２からローカルｅＮＢを含むＴＡ２６３−１へ移動してＴＡＵを行う動作を示すシーケンスの例を示している。
【０１９０】
ステップＳＴ２８０１において、ＵＥはセルの再選択を行う。ＵＥは、例えば受信品質が最良のセルを選択する。本動作例では、第１ローカルｅＮＢを選択したとする。ステップＳＴ２８０２において、ＵＥは、ステップＳＴ２８０１において選択した第１ローカルｅＮＢのシステム情報を受信する。これによってＵＥは、システム情報の内容により、第１ローカルｅＮＢへランダムアクセスするパラメータ、トラッキングエリアコード（ＴＡＣ）、第１ローカルｅＮＢのＣＳＧ−ＩＤを知ることができる。
【０１９１】
従来の技術においては、ＵＥが登録済みのＴＡＩ（Tracking Area Identity）のリストに無い新しいトラッキングエリアに入ったときにＴＡＵを行う（非特許文献１０参照））。従来の技術においては、例えば、ステップＳＴ２８０１においてセル選択する前のセルと、ステップＳＴ２８０１においてセル選択した後のセル、つまりローカルｅＮＢとが同じトラッキングエリアに属する場合は、ＵＥはＴＡＵを行わない。よって、ローカルｅＮＢは、ＵＥがセル圏外または他のｅＮＢのセルから、セル圏内へ移動したことを検出できないという課題が発生する。
【０１９２】
そこで本変形例では、図２８のステップＳＴ２８０２でシステム情報を受信したＵＥは、ステップＳＴ２８０１における選択セルがローカルｅＮＢであるか否かを判断し、ローカルｅＮＢであれば、該ローカルｅＮＢのトラッキングエリアと無関係にＴＡＵを行うこととする。この処理により、ローカルｅＮＢは、ＵＥがセル圏外または他のｅＮＢのセルからセル圏内へ移動したことを検出可能となる。
【０１９３】
ステップＳＴ２８０１における選択セルがローカルｅＮＢであるか否かの判断の具体例を、以下に開示する。システム情報中に、選択セルがローカルｅＮＢであるか否かを示すインジケータを新設する。システム情報に含まれる該インジケータが、選択セルがローカルｅＮＢであることを示していた場合、ＵＥは、選択セルをローカルｅＮＢと判断し、該インジケータが、選択セルがローカルｅＮＢであることを示していない場合、ＵＥは、選択セルをローカルｅＮＢではないと判断する。
【０１９４】
または、選択セルがＨｅＮＢであれば、該ローカルｅＮＢのトラッキングエリアと無関係にＴＡＵを行うこととしてもよい。
【０１９５】
選択セルがＨｅＮＢであるか否かの判断の具体例を、以下に３つ開示する。
【０１９６】
（１）システム情報に含まれる、ＣＳＧ−ＩＤを用いる。ＵＥは、例えばＣＳＧ−ＩＤが含まれていれば、選択セルはＨｅＮＢと判断し、ＣＳＧ−ＩＤが含まれていなければ、選択セルはＨｅＮＢではないと判断する。
【０１９７】
（２）システム情報に含まれるcsg-Indicationを用いる。ＵＥは、例えばcsg-Indicationが「TRUE」であれば、選択セルはＨｅＮＢと判断し、csg-Indicationが「TRUE」でなければ、選択セルはＨｅＮＢではないと判断する。
【０１９８】
（３）システム情報に含まれる、hnb-Nameを用いる。ＵＥは、例えばhnb-Nameが含まれていれば、選択セルはＨｅＮＢと判断し、hnb-Nameが含まれていなければ、選択セルはＨｅＮＢではないと判断する。
【０１９９】
ステップＳＴ２８０３において、ＵＥは第１ローカルｅＮＢに対してＰＲＡＣＨ送信を行う。ステップＳＴ２８０２で取得したシステム情報には、ローカルｅＮＢのＣＳＧ−ＩＤが含まれるので、ステップＳＴ２８０３においてＵＥは、選択したローカルｅＮＢのＣＳＧ−ＩＤがＵＥ内のホワイトリストに存在した場合にＰＲＡＣＨ送信を行うようにしてもよい。
【０２００】
第１ローカルｅＮＢは、該ＰＲＡＣＨをＣＳＧに属するＵＥからのものであると判断すると、アクセスを許可し、ステップＳＴ２８０６およびステップＳＴ２８０７の処理で個別チャネル回線を設定する。具体的に述べると、まずステップＳＴ２８０６において、第１ローカルｅＮＢは、個別チャネル回線の設定を指示するラジオベアラセットアップメッセージをＵＥに送信する。ＵＥは、第１ローカルｅＮＢから送信されたラジオベアラセットアップメッセージを受信すると、ステップＳＴ２８０７において、個別チャネル回線を設定する処理を行い、ラジオベアラセットアップコンプリートメッセージを第１ローカルｅＮＢに送信する。
【０２０１】
したがって、第１ローカルｅＮＢは、ステップＳＴ２８０６の処理の前に、ＵＥと個別チャネルの通信を開始するために、ステップＳＴ２８０４で通常送信を開始する。またＵＥは、ステップＳＴ２８０５において、ＣＯＮＮＥＣＴＥＤモード（ＲＲＣ＿ＣＯＮＮＥＣＴＥＤとも称される）となる。
【０２０２】
ＵＥは、ステップＳＴ２８０６およびステップＳＴ２８０７の処理で個別チャネル回線が確立すると、ステップＳＴ２８０８において、第１ローカルｅＮＢを通して、ＨｅＮＢＧＷ、あるいはＭＭＥへＴＡ  Ｕｐｄａｔｅ（ＴＡＵ）を実行する。ステップＳＴ２８０８でＴＡＵを受信したＨｅＮＢＧＷは、ステップＳＴ２８０９において、第１ローカルｅＮＢを通して、ＵＥへＴＡ  Ｕｐｄａｔｅ  Ａｃｃｅｐｔを送信する。ステップＳＴ２８０９でＴＡ  Ｕｐｄａｔｅ  Ａｃｃｅｐｔを受信したＵＥは、ステップＳＴ２８０９−１において、第１ローカルｅＮＢを通して、ＨｅＮＢＧＷへＴＡ  Ｕｐｄａｔｅ  Ｃｏｍｐｌｅｔｅを送信する。これによって、ＴＡＵ成功となる。
【０２０３】
そしてステップＳＴ２８１３およびステップＳＴ２８１４の処理で、第１ローカルｅＮＢおよびＵＥは、個別チャネル回線を開放する。具体的に述べると、ステップＳＴ２８１３において、第１ローカルｅＮＢは、ラジオベアラリリースメッセージをＵＥに送信する。ＵＥは、第１ローカルｅＮＢから送信されたラジオベアラリリースメッセージを受信すると、ステップＳＴ２８１４において、個別チャネル回線を開放する処理を行い、ラジオベアラリリースコンプリートメッセージを第１ローカルｅＮＢに送信する。またＵＥは、前述のようにしてステップＳＴ２８１４でラジオベアラリリースコンプリートメッセージを送信すると、ステップＳＴ２８１６において、ＩＤＬＥモードとなり、第１ローカルｅＮＢのセルで待ち受けを行う。
【０２０４】
ＨｅＮＢＧＷ、あるいはＭＭＥは、ステップＳＴ２８０９−１でＴＡＵの成功を確認すると、ステップＳＴ２８１０において、配下の第１ローカルｅＮＢへＴＡ在圏通知を送信し、またステップＳＴ２８１１において、第２ローカルｅＮＢへＴＡ在圏通知を送信する。このようにしてＨｅＮＢＧＷは、ＣＳＧに属するＵＥがＴＡに在圏することを、配下のローカルｅＮＢ、図２８に示す例では第１および第２ローカルｅＮＢに通知する。
【０２０５】
第１ローカルｅＮＢ、第２ローカルｅＮＢは、各々ＴＡ在圏通知がされたＣＳＧに属するＵＥが自装置と通信していなければ、該ＵＥがＩＤＬＥモードで待ち受けをしていると判断して、ステップＳＴ２８１２およびステップＳＴ２８１５において、実施の形態１で開示するＤＲＸ周期のセルＤＴＸを開始する。
【０２０６】
図２８のシーケンスで、ローカルｅＮＢが、ＵＥがローカルｅＮＢのセル圏内に存在し、ＩＤＬＥモードであることを判定する方法を、以下に開示する。
【０２０７】
（１）ＴＡ在圏であり、かつ、（２）個別チャネルを設定していないＵＥはＩＤＬＥモードと判定する。
【０２０８】
ＴＡに在圏するＣＳＧに属するＵＥが、Ｄｅｔａｃｈを行うときのローカルｅＮＢでの判定方法を開示する。図２９は、実施の形態１の変形例１の解決策を用いた場合の移動体通信システムのシーケンス例を説明する図である。
【０２０９】
図２９において、ＵＥは、電源のＯＦＦを要求されると、ステップＳＴ２９０３において、第１ローカルｅＮＢに対してＰＲＡＣＨ送信を行う。第１ローカルｅＮＢは、ＵＥから送信されるＰＲＡＣＨを受信すると、ステップＳＴ２９０４において、通常送信を開始する。またＵＥは、前述のようにしてステップＳＴ２９０３でＰＲＡＣＨ送信を行うと、ステップＳＴ２９０５において、ＣＯＮＮＥＣＴＥＤモードとなる。
【０２１０】
ＵＥは、ステップＳＴ２９０６およびステップＳＴ２９０７の処理によって個別チャネル回線を設定し、第１ローカルｅＮＢと個別チャネルの回線を確立する。具体的に述べると、まずステップＳＴ２９０６において、第１ローカルｅＮＢは、個別チャネル回線の設定を指示するラジオベアラセットアップメッセージをＵＥに送信する。ＵＥは、第１ローカルｅＮＢから送信されたラジオベアラセットアップメッセージを受信すると、ステップＳＴ２９０７において、個別チャネル回線を設定する処理を行い、ラジオベアラセットアップコンプリート（Radio Bearer Setup Complete）メッセージを第１ローカルｅＮＢに送信する。
【０２１１】
次いで、ＵＥは、ステップＳＴ２９０８において、第１ローカルｅＮＢを通して、ＨｅＮＢＧＷに対してＤｅｔａｃｈ要求を送信する。Ｄｅｔａｃｈ要求を受信したＨｅＮＢＧＷは、ステップＳＴ２９０９において、Ｄｅｔａｃｈ完了を、第１ローカルｅＮＢを通してＵＥへ送信する。これによって、Ｄｅｔａｃｈ成功となる。
【０２１２】
そしてステップＳＴ２９１３およびステップＳＴ２９１４の処理で、第１ローカルｅＮＢおよびＵＥは、個別チャネル回線を開放する。具体的に述べると、ステップＳＴ２９１３において、第１ローカルｅＮＢは、ラジオベアラリリースメッセージをＵＥに送信する。ＵＥは、第１ローカルｅＮＢから送信されたラジオベアラリリースメッセージを受信すると、ステップＳＴ２９１４において、個別チャネル回線を開放する処理を行い、ラジオベアラリリースコンプリートメッセージを第１ローカルｅＮＢに送信する。またＵＥは、前述のようにしてステップＳＴ２９１４でラジオベアラリリースコンプリートメッセージを送信すると、ステップＳＴ２９１６において、電源をＯＦＦする処理を行う。
【０２１３】
ＨｅＮＢＧＷは、ステップＳＴ２９０８およびステップＳＴ２９０９でＤｅｔａｃｈの成功を確認すると、ステップＳＴ２９１０において、配下の第１ローカルｅＮＢへＴＡ圏外通知を送信し、またステップＳＴ２９１１において、第２ローカルｅＮＢへＴＡ圏外通知を送信する。このようにしてＨｅＮＢＧＷは、ＣＳＧに属するＵＥがＴＡに在圏しないことを、配下のローカルｅＮＢ、図２９に示す例では第１および第２ローカルｅＮＢに通知する。
【０２１４】
第１ローカルｅＮＢ、第２ローカルｅＮＢは、各々ＴＡ圏外通知がされたＣＳＧに属するＵＥが自装置と通信していなければ、セル圏外に存在すると判断して、ステップＳＴ２９１２およびステップＳＴ２９１５において、実施の形態１で開示する拡張セルＤＴＸを開始する。
【０２１５】
図２９のシーケンスで、ローカルｅＮＢが、ＵＥがローカルｅＮＢのセル圏外に存在し、ＩＤＬＥモードであることを判定する方法を、以下に開示する。
【０２１６】
（１）ＴＡ圏外であり、かつ、（２）個別チャネルを設定していないＵＥは圏外と判定する。
【０２１７】
前述の図２６に示すように、ＣＳＧに属するＵＥ２６１が、ローカルｅＮＢを含むＴＡ２６３−１から他のＴＡ２６３−２へ移動し、他のＭＭＥ／Ｓ−ＧＷ部２６５−２へＴＡＵを行うときの、ローカルｅＮＢでの判定方法を開示する。図３０は、実施の形態１の変形例１の解決策を用いた場合の移動体通信システムのシーケンス例を説明する図である。図３０では、ローカルｅＮＢを含むＴＡ２６３−１から他のＴＡ２６３−２へ移動してＴＡＵを行う動作を示すシーケンスの例を示している。
【０２１８】
ステップＳＴ３００１において、ＵＥはセルの再選択を行う。ＵＥは、例えば受信品質が最良のセルを選択する。本動作例では、ｅＮＢ２６６を選択したとする。ステップＳＴ３００２において、ＵＥは、ステップＳＴ３００１にて選択したｅＮＢ２６６のシステム情報を受信する。これによってＵＥは、システム情報の内容により、ｅＮＢ２６６へランダムアクセスするパラメータ、トラッキングエリアコード（ＴＡＣ）、ｅＮＢ２６６のＣＳＧ−ＩＤを知ることができる。
【０２１９】
従来の技術においては、ＵＥが登録済みのＴＡＩのリストに無い新しいトラッキングエリアに入ったときにＴＡＵを行う（非特許文献１０参照）。従来の技術においては、例えばステップＳＴ３００１においてセル再選択する前のセルと、ステップＳＴ３００１にてセル再選択した後のセル、つまりｅＮＢが同じトラッキングエリアに属する場合は、ＵＥはＴＡＵを行わない。よって、ローカルｅＮＢは、ＵＥがセル圏内からセル圏外または他のｅＮＢのセルへ移動したことを検出できないという課題が発生する。
【０２２０】
そこで本変形例では、図３０のステップＳＴ３００２でシステム情報を受信したＵＥは、ステップＳＴ３００１でセル再選択を行う前まで在圏していたセルがローカルｅＮＢであれば、セル再選択で選択したｅＮＢのトラッキングエリアと無関係にＴＡＵを行うこととする。この処理により、ローカルｅＮＢは、ＵＥがセル圏内からセル圏外または他のｅＮＢのセルへ移動したことを検出可能となる。
【０２２１】
在圏しているセル（以下「在圏セル」という場合がある）がローカルｅＮＢであるか否かの判断の具体例を、以下に開示する。システム情報中に、在圏セルがローカルｅＮＢであるか否かを示すインジケータを新設する。システム情報に含まれる該インジケータが、在圏セルがローカルｅＮＢであることを示していた場合、ＵＥは、在圏セルはローカルｅＮＢと判断し、該インジケータが、在圏セルがローカルｅＮＢであることを示していない場合、ＵＥは、在圏セルはローカルｅＮＢではないと判断する。
【０２２２】
または、在圏しているセルがＨｅＮＢであれば、セル再選択で選択したｅＮＢのトラッキングエリアと無関係にＴＡＵを行うこととしてもよい。
【０２２３】
在圏しているセルがＨｅＮＢであるか否かの判断の具体例を、以下に３つ開示する。
【０２２４】
（１）システム情報に含まれる、ＣＳＧ−ＩＤを用いる。ＵＥは、例えばＣＳＧ−ＩＤが含まれていれば、在圏セルはＨｅＮＢと判断し、ＣＳＧ−ＩＤが含まれていなければ、在圏セルはＨｅＮＢではないと判断する。
【０２２５】
（２）システム情報に含まれるcsg-Indicationを用いる。ＵＥは、例えばcsg-Indicationが「TRUE」であれば、在圏セルはＨｅＮＢと判断し、csg-Indicationが「TRUE」でなければ、在圏セルはＨｅＮＢではないと判断する。
【０２２６】
（３）システム情報に含まれる、hnb-Nameを用いる。ＵＥは、例えばhnb-Nameが含まれていれば、在圏セルはＨｅＮＢと判断し、hnb-Nameが含まれていなければ、在圏セルはＨｅＮＢではないと判断する。
【０２２７】
ステップＳＴ３００３において、ＵＥはｅＮＢに対してＰＲＡＣＨ送信を行う。ＰＲＡＣＨ送信を行うと、ＵＥは、ステップＳＴ３００４において、ＣＯＮＮＥＣＴＥＤモードとなる。ｅＮＢは、該ＰＲＡＣＨによりアクセスを許可すると、ステップＳＴ３００５およびステップＳＴ３００６の処理で個別チャネル回線を設定する。具体的に述べると、まずステップＳＴ３００５において、ｅＮＢは、個別チャネル回線の設定を指示するラジオベアラセットアップメッセージをＵＥに送信する。ＵＥは、ｅＮＢから送信されたラジオベアラセットアップメッセージを受信すると、ステップＳＴ３００６において、個別チャネル回線を設定する処理を行い、ラジオベアラセットアップコンプリートメッセージをｅＮＢに送信する。
【０２２８】
ＵＥは、ステップＳＴ３００５およびステップＳＴ３００６の処理で個別チャネル回線が確立すると、ステップＳＴ３００７において、ｅＮＢを通して、ＭＭＥ／Ｓ−ＧＷ部、具体的には図２６の第２ＭＭＥ／Ｓ−ＧＷ部２６５−２へＴＡ  Ｕｐｄａｔｅを送信する。ステップＳＴ３００７でＴＡ  Ｕｐｄａｔｅを受信したＭＭＥ／Ｓ−ＧＷ部は、ステップＳＴ３００８において、ｅＮＢを通して、ＵＥへＴＡ  Ｕｐｄａｔｅ  Ａｃｃｅｐｔを送信する。ステップＳＴ３００８でＴＡ  Ｕｐｄａｔｅ  Ａｃｃｅｐｔを受信したＵＥは、ステップＳＴ３０２２において、ｅＮＢを通して、ＭＭＥ／Ｓ−ＧＷ部へＴＡ  Ｕｐｄａｔｅ  Ｃｏｍｐｌｅｔｅを送信する。これによって、ＴＡＵ成功となる。
【０２２９】
そして、ステップＳＴ３０２４およびステップＳＴ３０２５の処理で、ｅＮＢおよびＵＥは、個別チャネル回線を開放する。具体的に述べると、ステップＳＴ３０２４において、ｅＮＢは、ラジオベアラリリースメッセージをＵＥに送信する。ＵＥは、ｅＮＢから送信されたラジオベアラリリースメッセージを受信すると、ステップＳＴ３０２５において、個別チャネル回線を開放する処理を行い、ラジオベアラリリースコンプリートメッセージをｅＮＢに送信する。このようにしてステップＳＴ３０２５でラジオベアラリリースコンプリートメッセージを送信すると、ステップＳＴ３０２６において、ＵＥはＩＤＬＥモードとなり、ｅＮＢのセルで待ち受けを行う。
【０２３０】
ＭＭＥ／Ｓ−ＧＷ部は、ステップＳＴ３００８、ステップＳＴ３０２２でＴＡＵの成功を確認すると、ステップＳＴ３００９およびステップＳＴ３０２３において、Ｓ１インタフェースを介してｅＮＢおよび周辺のＨｅＮＢＧＷへＴＡ在圏通知を送信する。これによってＭＭＥ／Ｓ−ＧＷ部は、ＵＥがＴＡに在圏することをｅＮＢおよび周辺のＨｅＮＢＧＷに通知する。
【０２３１】
ＨｅＮＢＧＷは、ステップＳＴ３００９でＭＭＥ／Ｓ−ＧＷ部からＴＡ在圏通知を受信すると、ＵＥが自装置のＴＡに在圏しないことを知り、ステップＳＴ３０１０およびステップＳＴ３０１１において、配下の第１ローカルｅＮＢ、第２ローカルｅＮＢへＴＡ圏外通知を送信する。ＭＭＥから第１ローカルｅＮＢ、第２ローカルｅＮＢへＴＡ圏外通知を行ってもよい。
【０２３２】
第１ローカルｅＮＢ、第２ローカルｅＮＢは、各々ＴＡ圏外通知がされたＣＳＧに属するＵＥが自装置と通信していなければ、セル圏外に存在すると判断して、ステップＳＴ３０１２およびステップＳＴ３０１３において、実施の形態１で開示する拡張セルＤＴＸを開始する。
【０２３３】
図３０のシーケンスで、ローカルｅＮＢが、ＵＥがローカルｅＮＢのセル圏外に存在し、ＩＤＬＥモードであることを判定する方法を、以下に開示する。
【０２３４】
（１）ＴＡ圏外であり、かつ、（２）個別チャネルを設定していない該ＵＥは圏外と判定する。
【０２３５】
実施の形態１の変形例１のもう１つの課題について説明する。前述の図２５において、ＣＳＧに属するＵＥ２５１がＴＡ２５３内に在圏すると判断して、全てのローカルｅＮＢ２５２−１，２５２−２，２５２−３が実施の形態１で開示するＤＲＸ周期のセルＤＴＸを行うとする。ここで、ＵＥ２５１が第１ローカルｅＮＢ２５２−１で待ち受けをしている場合、ＵＥ２５１は、第１ローカルｅＮＢ２５２−１のＰＯを受信すると同時に、周辺セルである第２ローカルｅＮＢ２５２−２、第３ローカルｅＮＢ２５２−３をセルサーチで検出できなければならない。また検出した後は、ＵＥ２５１は、第２ローカルｅＮＢ２５２−２、第３ローカルｅＮＢ２５２−３の受信レベルを監視できなければならない。
【０２３６】
しかし、第２ローカルｅＮＢ２５２−２、第３ローカルｅＮＢ２５２−３が実施の形態１で開示するＤＲＸ周期のセルＤＴＸを実行している場合、第２ローカルｅＮＢ２５２−２、第３ローカルｅＮＢ２５２−３は、ＳＳもＰＢＣＨも送信しないので、ＵＥ２５１がセルサーチで第２ローカルｅＮＢ２５２−２、第３ローカルｅＮＢ２５２−３を検出できなくなるという課題が発生する。
【０２３７】
以上で述べた課題の解決方法を以下に開示する。図３１に、実施の形態１の変形例１のもう１つの課題を解決するための、ＤＲＸ周期のセルＤＴＸでのローカルｅＮＢの送信方法を示す。図３１は、実施の形態１の変形例１の解決策を用いた基地局送信信号の例を説明するタイミングチャートである。図３１では、第１ローカルｅＮＢ２５２−１、第２ローカルｅＮＢ２５２−２、第３ローカルｅＮＢ２５２−３がＤＲＸ周期のセルＤＴＸを実行している場合を示す。
【０２３８】
第１ローカルｅＮＢ２５２−１は、送信ＯＮ信号３１０１に従い、無線フレーム３１０２を送信する。ここで、ページングフレーム（ＰＦ）３１０３に含まれるＰＯのタイミングで送信ＯＮするだけでなく、ＰＦ３１０３とは異なる別の無線フレームにて、ＳＳ、ＰＢＣＨのタイミングでも送信ＯＮすることが本変形例の特徴である。第２ローカルｅＮＢ２５２−２、第３ローカルｅＮＢ２５２−３も同様に、ＰＯおよびＰＦとは異なる別の無線フレームにてＳＳ、ＰＢＣＨを送信ＯＮにする。
【０２３９】
またＰＯおよびＰＦの次の無線フレーム３１０４に含まれるＳＳ、ＰＢＣＨのタイミングで送信ＯＮしてもよい。これにより、ＩＤＬＥ中の移動端末（ＵＥ）は、ページング信号受信と、周辺セルサーチの動作を１度の受信回路オン動作で行うことが可能となる。よって移動端末の低消費電力化という効果を得ることができる。以降、ＰＯおよびＰＦの次の無線フレームにてＳＳ、ＰＢＣＨのタイミングで送信ＯＮする場合について説明する。
【０２４０】
具体例として、ＵＥは、ＩＤＬＥモードであり、第１ローカルｅＮＢ２５２−１のセルで待ち受けをしているとする。該ＵＥは、ＤＲＸ周期で第１ローカルｅＮＢ２５２−１のＰＯを受信する。該ＵＥは、ＰＯ受信に続けて周辺セルサーチを実行する。該ＵＥは、第１ローカルｅＮＢ２５２−１のＳＳおよびＰＢＣＨ、第２ローカルｅＮＢ２５２−２のＳＳおよびＰＢＣＨ、第３ローカルｅＮＢ２５２−３のＳＳおよびＰＢＣＨを受信することができるので、第１ローカルｅＮＢ２５２−１、第２ローカルｅＮＢ２５２−２、第３ローカルｅＮＢ２５２−３を検出することができる。
【０２４１】
第１ローカルｅＮＢ２５２−１、第２ローカルｅＮＢ２５２−２、第３ローカルｅＮＢ２５２−３は、ＳＳ、ＰＢＣＨを送信するときに、同時にＲＳも送信する。ＵＥは、セルサーチで検出した第１ローカルｅＮＢ２５２−１、第２ローカルｅＮＢ２５２−２、第３ローカルｅＮＢ２５２−３のＲＳのＲＳＲＰを測定して、セルを監視することができる。３ＧＰＰリリース８対応の移動端末（ＵＥ）は、セル選択において、ＲＳのＲＳＲＰ値を用いて各セルの比較を実施している。よって、本実施の形態１の変形例１にてＳＳ、ＰＢＣＨを送信するときに、同時にＲＳを送信する方法は、後方互換性に優れた移動体通信システムを構築することができるという効果を得ることができる。
【０２４２】
図３１では、第１ローカルｅＮＢ２５２−１、第２ローカルｅＮＢ２５２−２、第３ローカルｅＮＢ２５２−３は、ＳＳ、ＰＢＣＨを１無線フレームで送信しているが、この期間を２無線フレームや３無線フレームなどと長くしてもよい。また、図３１では、第１ローカルｅＮＢ２５２−１、第２ローカルｅＮＢ２５２−２、第３ローカルｅＮＢ２５２−３は、ＰＦに続く無線フレームで、ＳＳ、ＰＢＣＨ以外のサブフレームを送信していないが、ＳＳ、ＰＢＣＨ以外のサブフレームでＲＳのみを送信してもよい。
【０２４３】
実施の形態１の変形例２．
実施の形態１の移動体通信システムにおいて、ＣＳＧに登録されるＵＥが複数台存在する場合の課題について説明する。図３２は、実施の形態１の変形例２の課題を説明するロケーション図である。図３２では、ローカルｅＮＢ３２０１のカバレッジ３２０２内、すなわちセル圏内において、第１のＵＥ３２０３がＩＤＬＥモードでページング信号受信のために、ＰＯ３２０４を待ち受けており、第２のＵＥ３２０５がローカルｅＮＢ３２０１のカバレッジ３２０２外、すなわちセル圏外にいることを示している。ここで、ローカルｅＮＢ３２０１が、第１のＵＥ３２０３を対象として実施の形態１で開示したＤＲＸ周期のセルＤＴＸを行うとする。このとき、第２のＵＥ３２０５がカバレッジ３２０２の外からカバレッジ３２０２の中に移動すると、ローカルｅＮＢ３２０１はＳＳもＰＢＣＨも送信していないので、第２のＵＥ３２０５はローカルｅＮＢ３２０１のカバレッジ３２０２内、すなわちセル圏内にいるにも関わらず、ローカルｅＮＢ３２０１をセルサーチできないという課題が発生する。
【０２４４】
このようにローカルｅＮＢ３２０１をセルサーチできないと、以下のような課題が発生する。例えば、第２のＵＥ３２０５が電源ＯＦＦ状態から電源ＯＮ状態になった場合、あるいはローカルｅＮＢ３２０１のカバレッジ３２０２の外から中に、すなわちセル圏外からセル圏内に移動してきた場合、ローカルｅＮＢ３２０１のカバレッジ３２０２内、すなわちセル圏内に存在しているにも関わらず、ローカルｅＮＢ３２０１にアタッチ（Ａｔｔａｃｈ）、すなわち位置登録できなくなる。また例えば、第２のＵＥ３２０５が他の基地局のカバレッジエリアで待ち受け中であれば、ローカルｅＮＢ３２０１のカバレッジ３２０２内、すなわちセル圏内に存在しているにも関わらず、ローカルｅＮＢ３２０１をセル再選択で選択できなくなる。また例えば、第２のＵＥ３２０５が他の基地局と通信中であれば、ローカルｅＮＢ３２０１のカバレッジ３２０２内、すなわちセル圏内にいるにも関わらず、ローカルｅＮＢ３２０１へハンドオーバできなくなる。
【０２４５】
実施の形態１の変形例２における課題を解決する方法を、以下に開示する。図３３は、実施の形態１の変形例２の解決策を用いた基地局送信信号の例を説明するタイミングチャートである。図３３では、図３２に示すローカルｅＮＢ３２０１およびＵＥ３２０３，３２０５の配置および状態における、図３２のローカルｅＮＢ３２０１の送信信号を示している。本変形例では、ローカルｅＮＢは、前述の拡張セルＤＴＸの信号と、実施の形態１に開示されるＤＲＸ周期のセルＤＴＸの信号とを混合した信号を送信する。
【０２４６】
拡張セルＤＴＸの信号としては、ＳＳおよびＰＢＣＨが送信される。ＳＳは、無線フレーム（１０ｍｓ）の中で、１番目のサブフレーム＃０と６番目のサブフレーム＃５とに配置される。ＰＢＣＨは、無線フレーム（１０ｍｓ）の中で、１番目のサブフレーム＃０に配置される。
【０２４７】
ＤＲＸ周期のセルＤＴＸの信号は、ローカルｅＮＢの下り送信信号３３０２を構成する無線フレームのうち、例えば図３３の例では、ページングフレーム（ＰＦ）３３０３の中で、９番目のサブフレーム♯８であるＰＯのサブフレームで送信される。ローカルｅＮＢは、ＤＲＸ周期のセルＤＴＸの信号として、ＰＤＳＣＨとそれに付随するＰＤＣＣＨ、ＲＳを送信する。ページング情報がない場合は、ＰＤＳＣＨを送信する必要がないので、ローカルｅＮＢは、ＲＳのみを送信する。
【０２４８】
ローカルｅＮＢは、５ｍｓ周期で送信動作をオンして、ＳＳおよびＰＢＣＨを送信するとともに、ＤＲＸ周期、具体的には１秒〜５秒程度の周期で送信動作をオンして、ＰＤＳＣＨとそれに付随するＰＤＣＣＨ、ＲＳを送信する。つまり、ローカルｅＮＢの送信ＯＮ信号３３０１は、５ｍｓ周期で、ＳＳおよびＰＢＣＨを送信するサブフレーム（１ｍｓ程度）の期間に送出されるとともに、ＤＲＸ周期、具体的には１秒〜５秒程度の周期で、ＰＯのサブフレーム（１ｍｓ程度）の期間に送出される。ローカルｅＮＢは、その他の期間は、送信動作をオフして、下り送信信号３３０２の送信動作を停止することができる。ＳＳおよびＰＢＣＨの送信周期、具体的には５ｍｓ周期は、第１の送信周期に相当し、ＤＲＸ周期は、第２の送信周期に相当する。ここで、ＤＲＸ周期の間欠送信（ＤＴＸ）は、ページング情報がない場合、ＰＤＳＣＨとそれに付随するＰＤＣＣＨを送信する必要がないため、ＲＳだけとなる。
【０２４９】
このように拡張セルＤＴＸの信号とＤＲＸ周期のセルＤＴＸの信号とを混合した信号を送信することによって、図３２においてＩＤＬＥモードとなっている第１のＵＥ３２０３は、ＰＯのタイミングでＲＳを受信できるので、ローカルｅＮＢ３２０１からのページング信号の監視ができ、ローカル周波数の偏差も測定できる。図３２においてローカルｅＮＢ３２０１のカバレッジ３２０２の外、すなわちセル圏外にある第２のＵＥ３２０５は、ローカルｅＮＢ３２０１のカバレッジ３２０２内、すなわちセル圏内に移動すれば、ローカルｅＮＢ３２０１のＳＳおよびＰＢＣＨを受信することができるので、ローカルｅＮＢ３２０１をセルサーチすることが可能である。
【０２５０】
以上に示したように実施の形態１の変形例２では、実施の形態１と比較すると、図３３に示すように、基地局であるローカルｅＮＢの送信状態として、ＰＯ、ＳＳおよびＰＢＣＨを送信する状態が追加されている。これは、前述の図１７の拡張セルＤＴＸ１７０２とＤＲＸ周期のセルＤＴＸ１７０３とが混合された状態（以下「拡張セルとＤＲＸ周期の混合ＤＴＸ」という場合がある）といえる。
【０２５１】
図３４は、実施の形態１の変形例２の解決策を説明する状態遷移図である。実施の形態１の変形例２のローカルｅＮＢの送信状態判定部は、ローカルｅＮＢの送信状態として、例えば、図３４に示すように、通常送信３４０１、拡張セルＤＴＸ３４０２、ＤＲＸ周期のセルＤＴＸ３４０３、および拡張セルとＤＲＸ周期の混合ＤＴＸ３４０４の４つの状態を管理する。
【０２５２】
ＣＳＧに登録されるＵＥが複数の場合におけるローカルｅＮＢの送信状態の管理方法の例を、以下に４つ開示する。１つ１つのＵＥの状態を、実施の形態１の方法で管理し、複数のＵＥの状態の組合せで送信状態を管理する。
【０２５３】
（１）全てのＵＥがセル圏外の場合、拡張セルＤＲＸ３４０２とする
（２）全てのＵＥがＩＤＬＥモードの場合、ＤＲＸ周期のセルＤＴＸ３４０３とする
（３）１つ以上のＵＥがＣＯＮＮＥＣＴＥＤモードの場合、通常送信３４０１とする
（４）１つ以上のＵＥがセル圏外であり、１つ以上のＵＥがＩＤＬＥモードであり、ＣＯＮＮＥＣＴＥＤモードのＵＥがない場合、拡張セルとＤＲＸ周期の混合ＤＴＸ３４０４とする。
【０２５４】
つまり、本変形例２では、予めＣＳＧに登録されるＵＥが複数ある場合、ローカルｅＮＢは、以下のように動作する。
【０２５５】
（１）全てのＵＥがセルの圏外に存在するとき、拡張セルＤＲＸ３４０２として、ＳＳが無線フレームに配置される周期、具体的には５ｍｓ周期で、ＳＳおよび、報知チャネルであるＰＢＣＨを間欠的に送信する。
【０２５６】
（２）全てのＵＥがＩＤＬＥモード、すなわち待ち受け状態であるとき、ＤＲＸ周期のセルＤＴＸ３４０３として、ＤＲＸ周期、具体的には１秒〜５秒程度の周期で、ページング信号およびＲＳのうち、少なくともＲＳを間欠的に送信する。
【０２５７】
（３）複数のＵＥのうち、少なくとも１つのＵＥがＣＯＮＮＥＣＴＥＤモードである、すなわちローカルｅＮＢと通信しているとき、通常送信３４０１として、各無線フレームにおいて、ＳＳ、ＰＢＣＨおよびＲＳを送信する。
【０２５８】
（４）複数のＵＥのうち、少なくとも１つのＵＥがＩＤＬＥモード、すなわち待ち受け状態であり、少なくとも１つのＵＥがローカルｅＮＢのセルの圏外に存在し、かつローカルｅＮＢと通信しているＵＥが存在しないとき、拡張セルとＤＲＸ周期の混合ＤＴＸ３４０４として、ＳＳが無線フレームに配置される周期でＳＳおよびＰＢＣＨを間欠的に送信するとともに、ＤＲＸ周期でページング信号およびＲＳのうち、少なくともＲＳを間欠的に送信する。
【０２５９】
このように本変形例２では、（４）の１つ以上のＵＥがＩＤＬＥモードでＰＯを待ち受けており、１つ以上のＵＥがローカルｅＮＢのセル圏外に存在する場合には、拡張セルとＤＲＸ周期の混合ＤＴＸを行う。これによって、ＩＤＬＥモードのＵＥは、ＰＯのタイミングでＲＳを受信することができるので、ローカルｅＮＢの監視ができ、ローカル周波数の偏差も測定できる。またローカルｅＮＢのセル圏外に存在するＵＥは、セル圏内に移動したときに、ローカルｅＮＢから送信されたＳＳおよびＰＢＣＨを受信することができるので、ローカルｅＮＢをセルサーチすることが可能である。したがって、セル圏内に移動してきたときには、確実に位置登録を行うことができる。またローカルｅＮＢをセル再選択で選択することができる。またローカルｅＮＢにハンドオーバすることができる。
【０２６０】
実施の形態１の変形例２で解決するべきもう一つの課題を説明する。図３５は、実施の形態１の変形例２の解決策を説明するロケーション図である。図３５は、２つのＵＥ、すなわち第１のＵＥ３５０３および第２のＵＥ３５０５がＩＤＬＥモードであり、ローカルｅＮＢ３５０１のカバレッジ３５０２内で待ち受けをしていることを示している。第１のＵＥ３５０３は第１のＰＯ３５０４を受信し、第２のＵＥ３５０５は第２のＰＯ３５０６を受信する。一般に、第１のＰＯ３５０４と第２のＰＯ３５０６とは、異なるタイミングで送信される（非特許文献３参照）。したがって、ローカルｅＮＢ３５０１は、ＤＲＸ周期で２回ＰＯを送信することになるので、第１のＰＯ３５０４と第２のＰＯ３５０６とを同じタイミングで送信する場合に比べて、送信時間が長くなり、消費電力が増加するという課題がある。
【０２６１】
以下に、複数のＵＥが、ローカルｅＮＢのセル圏内、すなわちカバレッジ内においてＩＤＬＥモードで待ち受けをしているときに、ローカルｅＮＢの送信信号がＤＲＸ周期に複数回送信ＯＮとなることを避け、消費電力の増加を抑制する方法について開示する。
【０２６２】
（１）複数のＵＥの複数のＰＯを同一のサブフレームにする
（２）ＰＯを含む無線フレームＰＦでＲＳを送信する場合、複数のＵＥの複数のＰＯを同一の無線フレーム内にする。
【０２６３】
複数のＵＥの複数のＰＯを同一のサブフレーム、または同一の無線フレーム内で送信する方法の例を以下に開示する。以下の方法は、非特許文献３には開示されていない。
【０２６４】
（１）ローカルｅＮＢおよびＵＥは、ＰＯの計算式をローカルｅＮＢの場合とそれ以外のｅＮＢの場合とで分けて、複数持つ。ＵＥは、セル再選択をするとき、待ち受けるセルがローカルｅＮＢであるか否かを判断し、ローカルｅＮＢならばローカルｅＮＢ用のＰＯの計算式を用いる。ローカルｅＮＢ用のＰＯの計算式では、全てのＵＥにおいて同じＰＯまたはＰＦが導出されるものとする。ＵＥは、セル再選択のときに取得するシステム情報からローカルｅＮＢであるか否かを判断してもよい。
【０２６５】
（２）ローカルｅＮＢおよびＵＥは、複数のＰＯの計算式を持つ。計算式の中には、同一のｅＮＢもしくはローカルｅＮＢの傘下にあるＵＥが同一のＰＯまたはＰＦを導出する計算式Ｃ１を含む。ｅＮＢおよびローカルｅＮＢは、どのＰＯの計算式を用いるかのインジケータをシステム情報に載せる。ローカルｅＮＢは、該ＰＯの計算式Ｃ１を示すインジケータを送信する。
【０２６６】
実施の形態１の変形例３．
実施の形態１の変形例３で解決する課題について、以下に説明する。前述の非特許文献８に開示される基地局は、該基地局のセル圏内にアクティブ（Active）なＵＥが存在しなければ、拡張セルＤＴＸでＳＳおよびＰＢＣＨのみを送信することとしている。図３６は、実施の形態１の変形例３の課題を説明するロケーション図である。図３６におけるローカルｅＮＢ３６０１は、非特許文献８に開示される拡張セルＤＴＸに対応しているものとする。ローカルｅＮＢ３６０１は、カバレッジ３６０２内、すなわちセル圏内にＵＥが存在しないので、ＳＳおよびＰＢＣＨのみを送信する。ここで、カバレッジ３６０２の外、すなわちセル圏外または電源ＯＦＦのＵＥ３６０３は、移動によりカバレッジ３６０２内、すなわちセル圏内に入る、またはカバレッジ３６０２内、すなわちセル圏内で電源ＯＮになるとする。
【０２６７】
ＵＥ３６０３は、ローカルｅＮＢ３６０１をセルサーチで検出すると、ローカルｅＮＢ３６０１を通してコアネットワークへアタッチ（Ａｔｔａｃｈ）することが規格で決められている。アタッチの手順は、前述の図２７に示すとおりである。以下に、図２７のシーケンスに従って動作を説明する。
【０２６８】
図２７のステップＳＴ２７０１において、ＵＥは初期のセルの選択を行う。ＵＥは、例えば受信品質が最良のセルを選択する。本動作例では、第１ローカルｅＮＢを選択したとする。ステップＳＴ２７０２において、ＵＥは、ステップＳＴ２７０１にて選択したローカルｅＮＢ、すなわち第１ローカルｅＮＢのシステム情報を受信する。これによってＵＥは、システム情報の内容により、第１ローカルｅＮＢへランダムアクセスするパラメータを知ることができる（非特許文献９参照）。
【０２６９】
ところで、システム情報は、マスター情報ブロック（Master Information Block：ＭＩＢ）とシステム情報ブロック（System Information Block：ＳＩＢ）とから構成される。ここで、ＳＩＢは、ＳＩＢ１〜ＳＩＢ１３まである。ランダムアクセスに必要なパラメータ、ＲＡＣＨ設定（RACH Configuration）は、ＳＩＢ２に含まれる。ＳＩＢ２は、ＰＤＳＣＨに載せて送信される（非特許文献９参照）。
【０２７０】
ローカルｅＮＢ３６０１は、非特許文献８の拡張セルＤＴＸを行っているので、ＳＩＢを載せたＰＤＳＣＨを送信しない。したがってローカルｅＮＢ３６０１を初期のセル選択で最良のセルと判断したＵＥは、ローカルｅＮＢ３６０１のＲＡＣＨ設定を取得できず、ローカルｅＮＢ３６０１へランダムアクセスできない。すなわち、該ＵＥは、ローカルｅＮＢ３６０１を通して、コアネットワークへアタッチすることができず、通信サービスを受けることができないという課題が発生する。
【０２７１】
また、前述の図２０に示すＴＡＵのシーケンスでも、ＵＥがランダムアクセスできないので、ＴＡＵができないことになる。これによって、最良と判断したセルを含むＴＡを選択できないことになり、通信サービスが劣化するという課題が発生する。
【０２７２】
実施の形態１の変形例３における課題を解決する方法を、以下に開示する。規格として、ＵＥがローカルｅＮＢにＣＳＧとして登録するときに、ローカルｅＮＢはＵＥにＲＡＣＨ設定を予め通知することとする。ＵＥは、通知されたＲＡＣＨ設定を、ローカルｅＮＢと関連付けて記憶しておく。
【０２７３】
規格として、ＳＳ（Ｐ−ＳＳ，Ｓ−ＳＳ）によって送信されるセル識別番号（Physical Cell Identity：ＰＣＩとも称される）、あるいはＧＣＩ、あるいはＰＢＣＨによって送信されるＭＩＢの中の情報によって、ＵＥが、セルサーチしたｅＮＢを、予め登録しているローカルｅＮＢであることを識別できるように決めておく。
【０２７４】
ＵＥは検出した基地局が拡張セルＤＴＸを実行しているか否かを判定する。拡張セルＤＴＸの判定方法として、以下に４つ開示する。
【０２７５】
（１）規格として、ＭＩＢの中に拡張セルＤＴＸを示すインジケータを載せ、インジケータの値により判定する
（２）規格として、ＳＩＢ１の中に拡張セルＤＴＸを示すインジケータを載せ、インジケータの値により判定する
（３）拡張セルＤＴＸで送信されない信号の、拡張セルＤＴＸで送信される信号に対する信号強度の比を測定し、結果を閾値で判定する。閾値未満ならば拡張セルＤＴＸと判定する。拡張セルＤＴＸで送信されない信号は、例えばＲＳとする。拡張セルＤＴＸで送信される信号は、例えばＳＳとする
（４）ある決められた時間内にＳＩＢ２の復調に成功しない場合に、拡張セルＤＴＸと判定する。
【０２７６】
次に実施の形態１の変形例３の課題を解決する具体的な動作例を開示する。図３７は、実施の形態１の変形例３の解決策を用いた場合の移動体通信システムのシーケンス例を説明する図である。図３７では、ＵＥがローカルｅＮＢにＣＳＧとして登録するシーケンスの例を示している。ＵＥは、ステップＳＴ３７０１において、ローカルｅＮＢへＣＳＧ登録開始要求メッセージを送信する。ステップＳＴ３７０１でＣＳＧ登録開始要求メッセージを受信したローカルｅＮＢは、ステップＳＴ３７０２において、ＵＥにＣＳＧ登録開始許可メッセージを送信する。このステップＳＴ３７０１およびステップＳＴ３７０２の処理で行われるＵＥとローカルｅＮＢとの間の通信は、無線回線、赤外線および有線接続のいずれの手段を用いて行ってもよく、これら以外の手段を用いて行ってもよい。
【０２７７】
ＣＳＧ登録中のローカルｅＮＢとＵＥとは、ステップＳＴ３７０３において、ＣＳＧ登録に必要な情報交換を行う。この情報交換の中で、ローカルｅＮＢは、ステップＳＴ３７０４において、ランダムアクセスに必要なパラメータ、ＲＡＣＨ設定をＵＥに送信する。ＵＥは、ステップＳＴ３７０５において、登録中のＣＳＧ  ＩＤと、ステップＳＴ３７０４で受信したＲＡＣＨ設定およびセル識別番号とを関連付けて記憶する。ステップＳＴ３７０５においてＵＥが、ＣＳＧ  ＩＤと、ＲＡＣＨ設定およびセル識別番号とを関連付けて記憶すると、ローカルｅＮＢは、ステップＳＴ３７０６において、ＵＥにＣＳＧ登録開始完了メッセージを送信する。
【０２７８】
図３７に示す移動体通信システムのシーケンス例とは異なるが、以下のような動作例も考えられる。ローカルｅＮＢのオーナーが別途通信網を用いてＣＳＧ登録要求を行う。上位システムからローカルｅＮＢ経由でＵＥへＣＳＧ登録許可が通知される。ＣＳＧ登録許可には、ランダムアクセスに必要なパラメータ、ＲＡＣＨ設定が含まれるとする。ＵＥは、登録したローカルｅＮＢのＣＳＧ  ＩＤと、受信したＲＡＣＨ設定およびセル識別番号とを関連付けて記憶する。
【０２７９】
次に、ＵＥがローカルｅＮＢにランダムアクセスするときの動作例を、図３８に示すシーケンスで説明する。図３８は、実施の形態１の変形例３の解決策を用いた場合の移動体通信システムのシーケンス例を説明する図である。ローカルｅＮＢは、ステップＳＴ３８１１において、拡張セルＤＴＸを実行中であり、ステップＳＴ３８１２において、ＵＥにＳＳを送信する。
【０２８０】
ステップＳＴ３８１２でローカルｅＮＢから送信されたＳＳを受信したＵＥは、ステップＳＴ３８０１において、初期のセルの選択またはセルの再選択を行う。ＵＥは、例えば受信品質が最良のセルを選択する。本動作例では、ローカルｅＮＢを選択したとする。ローカルｅＮＢは、ステップＳＴ３８１３において、ＵＥにＰＢＣＨを送信する。ステップＳＴ３８１３でローカルｅＮＢから送信されるＰＢＣＨを受信したＵＥは、ステップＳＴ３８０２において、ステップＳＴ３８０１にて選択したローカルｅＮＢのシステム情報（ＭＩＢ、ＳＩＢ１）を取得する。
【０２８１】
ステップＳＴ３８０３において、ＵＥは、基地局、本動作例ではローカルｅＮＢが拡張セルＤＴＸを実行中であるか否かを判定する。ステップＳＴ３８０３における拡張セルＤＴＸの判定方法は、前述の（１）〜（４）の４つのどの方法でもよい。
【０２８２】
ステップＳＴ３８０３においてＵＥが、ステップＳＴ３８０１で検出した基地局、すなわちローカルｅＮＢが拡張セルＤＴＸを実行中ではないと判断した場合、ＵＥは、ステップＳＴ３８０７に移行し、ステップＳＴ３８０７において、通常の手順通り、システム情報としてＳＩＢ２を取得する。これによって、検出した基地局へランダムアクセスするパラメータを知ることができる（非特許文献９参照）。次いで、ＵＥは、ステップＳＴ３８０８において、ステップＳＴ３８０７で取得したＳＩＢ２からＲＡＣＨ設定を決定する。
【０２８３】
ステップＳＴ３８０３においてＵＥが、ステップＳＴ３８０１で検出した基地局、すなわちローカルｅＮＢが拡張セルＤＴＸを実行中であると判断した場合は、ＵＥは、ステップＳＴ３８０４に移行する。ステップＳＴ３８０４において、ＵＥは、ステップＳＴ３８０１のセルサーチで検出したローカルｅＮＢのセル識別番号（ＣＳＧ−ＩＤ、ＰＣＩ、ＧＣＩなど）が、登録されているローカルｅＮＢの識別番号に一致するか否かを判断する。ステップＳＴ３８０４において、セルサーチで検出したローカルｅＮＢのセル識別番号が、登録されているローカルｅＮＢの識別番号と一致しないと判断した場合は、ＵＥは全ての処理を終了する。
【０２８４】
ステップＳＴ３８０４において、セルサーチで検出したローカルｅＮＢのセル識別番号が、登録されているローカルｅＮＢの識別番号に一致すると判断した場合は、ＵＥは、ステップＳＴ３８０５に移行する。ステップＳＴ３８０５において、ＵＥは、セル識別番号から、ＲＡＣＨ設定を決定する。より詳細には、セル識別番号と関連して記憶しているＲＡＣＨ設定を、検出した基地局へランダムアクセスするパラメータとして決定する。
【０２８５】
次に、ＵＥは、ステップＳＴ３８０６において、ローカルｅＮＢにＰＲＡＣＨ送信を行う。これによって、検出した基地局へランダムアクセスし、アクセスが許可されると、個別チャネル回線を設定する。
【０２８６】
以上のように本変形例３では、ローカルｅＮＢは、ＵＥが登録されるとき、そのＵＥとの間のランダムアクセスに必要なパラメータをＵＥに通知する。これによってＵＥは、セル選択で選択したローカルｅＮＢが拡張セルＤＴＸを実行中であっても、ＲＡＣＨ設定を特定した該基地局にランダムアクセスすることができる。ＵＥが電源ＯＦＦの状態から電源ＯＮした場合には、セル選択で選択したローカルｅＮＢを通して、コアネットワークへアタッチすることができ、通信サービスを受けることが可能になる。ＵＥが、移動により、異なるＴＡのローカルｅＮＢをセル再選択した場合には、最良と判断したセルを含むＴＡを選択してＴＡＵを行うことにより、通信サービスの品質を維持することができる。
【０２８７】
実施の形態１の変形例３の課題を解決する別の方法を以下に開示する。規格として、基地局、例えばｅＮＢ、ローカルｅＮＢは、特定の上り送信を受信すると、ランダムアクセスに必要なパラメータを含むシステム情報ブロック（ＳＩＢ）を載せた物理下り共有チャネル（ＰＤＳＣＨ）の送信を一定時間再開することにする。すなわち基地局は、前述のＳＩＢを載せたＰＤＳＣＨの送信を停止しているときに、特定の上り送信を受信すると、そのＳＩＢを載せたＰＤＳＣＨの送信を一定時間再開する。
【０２８８】
特定の上り送信とは、上り送信用のパラメータが、移動体通信システムとして既知、あるいは準静的に決定されたものである。準静的に決定される場合は、サービングセルから移動端末（ＵＥ）へ変更時、あるいは周期的に通知されるようにすればよい。上り送信用のパラメータの具体例としては、無線リソース（周波数、時間など）、初期送信パワー、送信データ（シーケンスなど）、変調方式などがある。特定の上り送信は、特定のＰＲＡＣＨであってもよい。
【０２８９】
実施の形態１の変形例３の課題を解決する具体的な動作例を、以下に開示する。ＵＥがローカルｅＮＢにランダムアクセスするときの動作例を、図３９に示すシーケンスで説明する。
【０２９０】
図３９は、実施の形態１の変形例３の解決策を用いた場合の移動体通信システムのシーケンス例を説明する図である。ローカルｅＮＢは、ステップＳＴ３９１１において、拡張セルＤＴＸを実行中であり、ステップＳＴ３９１２において、ＵＥにＳＳを送信する。
【０２９１】
ステップＳＴ３９１２でローカルｅＮＢから送信されたＳＳを受信したＵＥは、ステップＳＴ３９０１において、初期のセルの選択またはセルの再選択を行う。ＵＥは、例えば受信品質が最良のセルを選択する。本動作例では、ローカルｅＮＢを選択したとする。ローカルｅＮＢは、ステップＳＴ３９１３において、ＵＥにＰＢＣＨを送信する。ステップＳＴ３９１３でローカルｅＮＢから送信されるＰＢＣＨを受信したＵＥは、ステップＳＴ３９０２において、ステップＳＴ３９０１にて選択したローカルｅＮＢのシステム情報（ＭＩＢ、ＳＩＢ１）を取得する。
【０２９２】
ステップＳＴ３９０３において、ＵＥは、ステップＳＴ３９０１で選択した基地局、すなわちローカルｅＮＢが拡張セルＤＴＸを実行中であるか否かを判定する。ステップＳＴ３９０３における拡張セルＤＴＸの判定方法は、前述の（１）〜（４）の４つのどの方法でもよい。
【０２９３】
ステップＳＴ３９０３においてＵＥが、ステップＳＴ３９０１で検出した基地局、すなわちローカルｅＮＢが拡張セルＤＴＸを実行中ではないと判断した場合は、ステップＳＴ３９０５に移行し、ステップＳＴ３９０５において、通常の手順通り、ＳＩＢ２を取得して、検出した基地局へランダムアクセスするパラメータを知ることができる（非特許文献９参照）。
【０２９４】
ステップＳＴ３９０３においてＵＥが、ステップＳＴ３９０１で検出した基地局、すなわちローカルｅＮＢが拡張セルＤＴＸを実行中であると判断した場合は、ステップＳＴ３９０４に移行し、ステップＳＴ３９０４において、必要なＳＩＢ２を要求するＰＲＡＣＨをローカルｅＮＢに送信する。ステップＳＴ３９０４でＵＥから送信されるＰＲＡＣＨを受信したローカルｅＮＢは、ステップＳＴ３９０５において、一定時間、要求されたＳＩＢ２を載せたＰＤＣＣＨおよびＰＤＳＣＨのＵＥへの送信を再開する。ＵＥは、ステップＳＴ３９０５でローカルｅＮＢから送信されるＳＩＢ２を受信することによってＳＩＢ２を取得して、検出した基地局へランダムアクセスするパラメータを知ることができる。ステップＳＴ３９０６において、ＵＥは、ステップＳＴ３９０５で受信したＳＩＢ２から、ＲＡＣＨ設定を決定する。
【０２９５】
次に、ＵＥは、ステップＳＴ３９０７において、ローカルｅＮＢにＰＲＡＣＨ送信を行う。これによって、検出した基地局へランダムアクセスし、アクセスが許可されると、個別チャネル回線を設定する。
【０２９６】
以上より、ＵＥは、セル選択で選択したローカルｅＮＢが拡張セルＤＴＸを実行中であっても、ＲＡＣＨ設定を特定した該基地局にランダムアクセスすることができる。ＵＥが電源ＯＦＦの状態から電源ＯＮした場合には、セル選択で選択したローカルｅＮＢを通して、コアネットワークへアタッチすることができ、通信サービスを受けることが可能になる。ＵＥが、移動により、異なるＴＡのローカルｅＮＢをセル再選択で選択した場合には、最良と判断したセルを含むＴＡを選択してＴＡＵを行うことにより、通信サービスの品質を維持することができる。
【０２９７】
実施の形態１の変形例３の解決策の第２の方法は、基地局がローカルｅＮＢの例を説明したが、基地局がｅＮＢの場合にも本変形例を適用することができ、本変形例と同様の効果を得ることができる。
【０２９８】
本変形例では、実施の形態１と組み合わせた例について主に記載したが、実施の形態１の変形例１および実施の形態１の変形例２と組み合わせても用いることができる。
【０２９９】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０３００】
７２  基地局（セル）、９１２  移動端末（ＵＥ）状態監視部、９１３  送信状態判定部、９１４  送信ＯＮ／ＯＦＦ制御部、９１５  セルＤＴＸ制御部、１４０１，１６０１，３２０１，３５０１，３６０１  ローカルｅＮＢ、１４０２，３２０２，１６０２，３５０２，３６０２  カバレッジ、１４０３，１６０３，３２０３，３２０５，３５０３，３５０５，３６０３  移動端末（ＵＥ）、１３０１，１５０１，３１０１，３１０５，３１０７，３３０１  基地局の送信ＯＮ信号、１３０２，１４０４，１５０２，１６０４，３１０２，３１０６，３１０８，３２０４，３３０２，３５０４，３５０６  基地局の送信信号。
【図１】
0005490227.tif 000002
【図２】
0005490227.tif 000003
【図３】
0005490227.tif 000004
【図４】
0005490227.tif 000005
【図５】
0005490227.tif 000006
【図６】
0005490227.tif 000007
【図７】
0005490227.tif 000008
【図８】
0005490227.tif 000009
【図９】
0005490227.tif 000010
【図１０】
0005490227.tif 000011
【図１１】
0005490227.tif 000012
【図１２】
0005490227.tif 000013
【図１３】
0005490227.tif 000014
【図１４】
0005490227.tif 000015
【図１５】
0005490227.tif 000016
【図１６】
0005490227.tif 000017
【図１７】
0005490227.tif 000018
【図１８】
0005490227.tif 000019
【図１９】
0005490227.tif 000020
【図２０】
0005490227.tif 000021
【図２１】
0005490227.tif 000022
【図２２】
0005490227.tif 000023
【図２３】
0005490227.tif 000024
【図２４】
0005490227.tif 000025
【図２５】
0005490227.tif 000026
【図２６】
0005490227.tif 000027
【図２７】
0005490227.tif 000028
【図２８】
0005490227.tif 000029
【図２９】
0005490227.tif 000030
【図３０】
0005490227.tif 000031
【図３１】
0005490227.tif 000032
【図３２】
0005490227.tif 000033
【図３３】
0005490227.tif 000034
【図３４】
0005490227.tif 000035
【図３５】
0005490227.tif 000036
【図３６】
0005490227.tif 000037
【図３７】
0005490227.tif 000038
【図３８】
0005490227.tif 000039
【図３９】
0005490227.tif 000040